(57)【要約】【課題】特定の状況に応じて、表示する情報のレイアウトを適切に変更することができる情報処理装置、情報処理方法、プログラムおよび生体信号計測システムを提供する。【解決手段】生体信号に関する情報を表示する画面の表示レイアウトを決定付ける決定情報を取得する取得部と、取得部により取得された決定情報に対応する表示レイアウトを決定する決定部と、決定部により決定された表示レイアウトに従って、画面の表示レイアウトを変更する変更部と、を備える。【選択図】図３
2019155074.tif 000002
【特許請求の範囲】
【請求項１】
生体信号に関する情報を表示する画面の表示レイアウトを決定付ける決定情報を取得する取得部と、
前記取得部により取得された前記決定情報に対応する表示レイアウトを決定する決定部と、
前記決定部により決定された表示レイアウトに従って、前記画面の表示レイアウトを変更する変更部と、
を備えた情報処理装置。
【請求項２】
決定情報と、前記画面の表示レイアウトとを関連付けるレイアウト情報を設定する設定部を、さらに備え、
前記決定部は、前記取得部により取得された前記決定情報に対応する表示レイアウトを前記レイアウト情報から取得して、前記画面の表示レイアウトとして決定する請求項１に記載の情報処理装置。
【請求項３】
前記決定部は、前記決定情報に対応する表示レイアウトとして、該決定情報に対応する前記生体信号に関する情報のうち少なくともいずれかを拡大表示する表示レイアウトを決定する請求項１または２に記載の情報処理装置。
【請求項４】
前記決定部は、前記決定情報に対応する表示レイアウトとして、該決定情報に対応しない前記生体信号に関する情報のうち少なくともいずれかを縮小表示または非表示とする表示レイアウトを決定する請求項１〜３のいずれか一項に記載の情報処理装置。
【請求項５】
前記変更部は、前記決定部により決定された表示レイアウトに従って、前記画面の初期レイアウトを変更する請求項１〜４のいずれか一項に記載の情報処理装置。
【請求項６】
前記取得部は、前記決定情報として、患者の診察結果を含む患者情報を取得し、
前記決定部は、前記患者情報に対応する表示レイアウトを決定し、
前記変更部は、前記決定部により決定された前記患者情報に対応する表示レイアウトに従って、前記画面の初期レイアウトを変更する請求項５に記載の情報処理装置。
【請求項７】
前記取得部は、前記診察結果として患者の問診結果を含む前記患者情報を取得する請求項６に記載の情報処理装置。
【請求項８】
前記取得部は、前記決定情報として、前記画面の利用者に関するロール情報を取得し、
前記決定部は、前記ロール情報に対応する表示レイアウトを決定し、
前記変更部は、前記決定部により決定された前記ロール情報に対応する表示レイアウトに従って、前記画面の初期レイアウトを変更する請求項５に記載の情報処理装置。
【請求項９】
前記生体信号に対する解析を行う解析部を、さらに備え、
前記取得部は、前記決定情報として、前記解析部により解析された解析結果に関する情報を取得し、
前記決定部は、前記解析結果に関する情報に対応する表示レイアウトを決定する請求項１〜４のいずれか一項に記載の情報処理装置。
【請求項１０】
前記取得部は、前記解析結果に関する情報として、前記生体信号の一部に対応する信号源の推定状況を示す情報を取得し、
前記決定部は、前記信号源の推定状況を示す情報に対応する表示レイアウトを決定する請求項９に記載の情報処理装置。
【請求項１１】
前記取得部は、前記決定情報として、前記生体信号のいずれを前記画面に表示させるかの選択状況を示す情報を取得し、
前記決定部は、前記選択状況を示す情報に対応する表示レイアウトを決定する請求項１〜４のいずれか一項に記載の情報処理装置。
【請求項１２】
生体信号に関する情報を表示する画面の表示レイアウトを決定付ける決定情報を取得する取得ステップと、
取得した前記決定情報に対応する表示レイアウトを決定する決定ステップと、
決定した表示レイアウトに従って、前記画面の表示レイアウトを変更する変更ステップと、
を有する情報処理方法。
【請求項１３】
コンピュータに、
生体信号に関する情報を表示する画面の表示レイアウトを決定付ける決定情報を取得する取得ステップと、
取得した前記決定情報に対応する表示レイアウトを決定する決定ステップと、
決定した表示レイアウトに従って、前記画面の表示レイアウトを変更する変更ステップと、
を実行させるためのプログラム。
【請求項１４】
被検者から１以上の前記生体信号を測定する測定装置と、
請求項１〜１１のいずれか一項に記載の情報処理装置と、
を備えた生体信号計測システム。
【発明の詳細な説明】
【技術分野】
【０００１】
本発明は、情報処理装置、情報処理方法、プログラムおよび生体信号計測システムに関する。
【背景技術】
【０００２】
脳の神経活動を測定する脳磁計や脳波計では、測定した波形からてんかん特有の波形箇所（以下、特異点という。）を判別し、特異点から信号源の推定を行い、波形を表示したり、信号源を断層画像上に重畳表示させるシステムが知られている。そして、この断層画像上の信号源の位置などに基づき、手術にて切除する位置（てんかんの原因となっている箇所）を特定することになる。
【０００３】
このような、脳磁計や脳波計で計測した情報を表示する際に、患者の症状、または、解析を行う人（医師等）の能力、好み等により、どのような情報をどのような態様で表示するかが概ね定まっている場合が多々ある。このような医療情報を表示させるシステムとして、医師の経験則から関連する項目を登録しておき、ユーザ選択に応じて関連する情報を表示するシステムが開示されている（特許文献１参照）。
【発明の概要】
【発明が解決しようとする課題】
【０００４】
しかしながら、特許文献１に記載された技術では、表示するデータの選択を行いやすくするものであり、データの表示形態を最適化または好適化するものではないため、データ表示を適切なレイアウトに成型するのに手間がかかるという問題がある。
【０００５】
本発明は、上記に鑑みてなされたものであって、特定の状況に応じて、表示する情報のレイアウトを適切に変更することができる情報処理装置、情報処理方法、プログラムおよび生体信号計測システムを提供することを目的とする。
【課題を解決するための手段】
【０００６】
上述した課題を解決し、目的を達成するために、本発明は、生体信号に関する情報を表示する画面の表示レイアウトを決定付ける決定情報を取得する取得部と、前記取得部により取得された前記決定情報に対応する表示レイアウトを決定する決定部と、前記決定部により決定された表示レイアウトに従って、前記画面の表示レイアウトを変更する変更部と、を備えたことを特徴とする。
【発明の効果】
【０００７】
本発明によれば、特定の状況に応じて、表示する情報のレイアウトを適切に変更することができる。
【図面の簡単な説明】
【０００８】
【図１】図１は、実施形態の生体信号計測システムの概略図である。
【図２】図２は、情報処理装置のハードウェア構成の一例を示す図である。
【図３】図３は、情報処理装置の機能ブロックの構成の一例を示す図である。
【図４】図４は、サーバの機能ブロックの構成の一例を示す図である。
【図５】図５は、情報処理装置に表示される開始画面の一例を示す図である。
【図６】図６は、測定収録画面の一例を示す図である。
【図７】図７は、測定収録画面の左側の領域の拡大図である。
【図８】図８は、測定収録画面の右側の領域の拡大図である。
【図９】図９は、アノテーション情報が入力された直後の画面を示す図である。
【図１０】図１０は、更新されたアノテーションリストの図である。
【図１１】図１１は、測定収録時の情報処理装置の動作を示すフローチャートである。
【図１２】図１２は、解析画面の一例を示す図である。
【図１３】図１３は、解析画面の左側の領域の拡大図である。
【図１４】図１４は、解析画面の右側の領域の拡大図である。
【図１５】図１５は、解析画面で特定のアノテーションラインが選択された直後の画面を示す図である。
【図１６】図１６は、図１５の画面の左側の領域の拡大図である。
【図１７】図１７は、図１５の画面の右側の領域の拡大図である。
【図１８】図１８は、第１の実施形態における解析画面で一方の脳磁信号波形の表示領域を拡大した例を示す図である。
【図１９】図１９は、第１の実施形態のレイアウトテーブルの一例を示す図である。
【図２０】図２０は、解析画面のレイアウト変更の動作を示すフローチャートである。
【図２１】図２１は、単極誘導のモンタージュの一例を示す図である。
【図２２】図２２は、縦列双極誘導のモンタージュの一例を示す図である。
【図２３】図２３は、横列双極誘導のモンタージュの一例を示す図である。
【図２４】図２４は、解析時の情報処理装置の動作を示すフローチャートである。
【図２５】図２５は、解析画面を表示する時の動作を示すフローチャートである。
【図２６】図２６は、マージボタンが押下されたときに表示される画面を示す図である。
【図２７】図２７は、３次元方向に対応する３つのスライスの画像の関係を説明するための図である。
【図２８】図２８は、「Ｏｎｌｙ  Ｄｉｐｏｌｅ」ボタンが押された時の画面の一例を示す図である。
【図２９】図２９は、マージボタンが押下されたときに表示される画面の別形態を示す図である。
【図３０】図３０は、マージボタンが押下されたときに表示される画面の別形態を示す図である。
【図３１】図３１は、マージボタンが押下されたときに表示される画面の別形態を示す図である。
【図３２】図３２は、マージボタンが押下されたときに表示される画面の別形態を示す図である。
【図３３】図３３は、マージボタンが押下されたときに表示される画面の別形態を示す図である。
【図３４】図３４は、第１の実施形態のレイアウトテーブルの別形態の一例を示す図である。
【図３５】図３５は、解析画面およびマージ画面のレイアウト変更の動作を示すフローチャートである。
【図３６】図３６は、マージボタンが押下されたときに表示される画面の別形態を示す図である。
【図３７】図３７は、マージボタンが押下されたときに表示される画面の別形態を示す図である。
【図３８】図３８は、マージボタンが押下されたときに表示される画面の別形態を示す図である。
【図３９】図３９は、マージボタンが押下されたときに表示される画面の別形態を示す図である。
【図４０】図４０は、第２の実施形態における解析画面でＭＲＩ画像を拡大した例を示す図である。
【図４１】図４１は、第２実施形態における解析時の情報処理装置の動作を示すフローチャートである。
【図４２】図４２は、第２の実施形態のレイアウトテーブルの一例を示す図である。
【図４３】図４３は、第２実施形態における解析時の情報処理装置の動作の別形態を示すフローチャートである。
【図４４】図４４は、解析画面において表示ウィンドウを非表示にした一例を示す図である。
【図４５】図４５は、解析画面のレイアウト変更の動作を示すフローチャートである。
【図４６】図４６は、第３の実施形態における解析画面で脳波信号波形を拡大した例を示す図である。
【図４７】図４７は、第３の実施形態のレイアウトテーブルの一例を示す図である。
【図４８】図４８は、解析画面のレイアウト変更の動作を示すフローチャートである。
【図４９】図４９は、第４の実施形態のレイアウトテーブルの一例を示す図である。
【図５０】図５０は、解析画面のレイアウト変更の動作を示すフローチャートである。
【発明を実施するための形態】
【０００９】
以下に、図面を参照しながら、本発明に係る情報処理装置、情報処理方法、プログラムおよび生体信号計測システムの実施形態を詳細に説明する。また、以下の実施形態によって本発明が限定されるものではなく、以下の実施形態における構成要素には、当業者が容易に想到できるもの、実質的に同一のもの、およびいわゆる均等の範囲のものが含まれる。さらに、以下の実施形態の要旨を逸脱しない範囲で構成要素の種々の省略、置換、変更および組み合わせを行うことができる。
【００１０】
［第１の実施形態］
（生体信号計測システムの概略構成）
図１は、実施形態の生体信号計測システムの概略図である。生体信号計測システム１は、被検者の複数種類の生体信号として、例えば、脳磁（ＭＥＧ：Ｍａｇｎｅｔｏ−ｅｎｃｅｐｈａｌｏｇｒａｐｈｙ）信号および脳波（ＥＥＧ：Ｅｌｅｃｔｒｏ−ｅｎｃｅｐｈａｌｏｇｒａｐｈｙ）信号を計測し、表示する。測定対象となる生体信号は、脳磁信号および脳波信号に限られるものではなく、例えば、心臓の活動に応じて発生する電気信号（心電図として表現可能な電気信号）であってもよい。図１に示すように、生体信号計測システム１は、被検者の１以上の生体信号を測定する測定装置３と、測定装置３で測定された１以上の生体信号を記録するサーバ４０と、サーバ４０に記録された１以上の生体信号を解析する情報処理装置５０と、を含む。ここでは、サーバ４０と情報処理装置５０とは別々に記載されているが、例えば、サーバ４０が有する機能の少なくとも一部が情報処理装置５０に組み込まれる形態であってもよい。
【００１１】
図１の例では、被検者（被測定者）は、頭に脳波測定用の電極（またはセンサ）を付けた状態で測定テーブル４に仰向けで横たわり、測定装置３のデュワ３１の窪み３２に頭部を入れる。デュワ３１は、液体ヘリウムを用いた極低温環境の保持容器であり、デュワ３１の窪み３２の内側には脳磁測定用の多数の磁気センサが配置されている。測定装置３は、電極からの脳波信号と、磁気センサからの脳磁信号とを収集し、収集した脳波信号および脳磁信号を含むデータ（以下の説明では「測定データ」と称する場合がある）をサーバ４０に出力する。サーバ４０に収録された測定データは、情報処理装置５０に読み出されて表示され、解析される。一般的に、磁気センサを内蔵するデュワ３１および測定テーブル４は、磁気シールドルーム内に配置されているが、図示の便宜上、磁気シールドルームを省略している。
【００１２】
情報処理装置５０は、複数の磁気センサからの脳磁信号の波形と、複数の電極からの脳波信号の波形を、同じ時間軸上に同期させて表示する。ただし、後述するように、特定の状況に応じて、いずれかの波形が非表示となる場合もあり得る。脳波信号とは、神経細胞の電気的な活動（シナプス伝達の際にニューロンの樹状突起で起きるイオン電荷の流れ）を電極間の電圧値として表される信号である。脳磁信号とは、脳の電気活動により生じた微小な磁場変動を表す信号である。脳磁場は高感度の超伝導量子干渉計（ＳＱＵＩＤ）センサで検知される。これらの脳波信号および脳磁信号は「生体信号」の一例である。
【００１３】
（情報処理装置のハードウェア構成）
図２は、情報処理装置のハードウェア構成の一例を示す図である。図２を参照しながら、本実施形態に係る情報処理装置５０のハードウェア構成について説明する。
【００１４】
図２に示すように、情報処理装置５０は、ＣＰＵ（Ｃｅｎｔｒａｌ  Ｐｒｏｃｅｓｓｉｎｇ  Ｕｎｉｔ）５０１と、ＲＡＭ（Ｒａｎｄｏｍ  Ａｃｃｅｓｓ  Ｍｅｍｏｒｙ）５０２と、ＲＯＭ（Ｒｅａｄ  Ｏｎｌｙ  Ｍｅｍｏｒｙ）５０３と、補助記憶装置５０４と、ネットワークＩ／Ｆ５０５と、入力装置５０６と、表示装置５０７と、を有し、これらがバス５０８で相互に接続されている。
【００１５】
ＣＰＵ５０１は、情報処理装置５０の全体の動作を制御し、各種の情報処理を行う演算装置である。ＣＰＵ５０１は、ＲＯＭ５０３または補助記憶装置５０４に記憶された情報表示プログラムを実行して、測定収集画面および解析画面等の表示動作を制御する。
【００１６】
ＲＡＭ５０２は、ＣＰＵ５０１のワークエリアとして用いられ、主要な制御パラメータおよび情報を記憶する揮発性の記憶装置である。ＲＯＭ５０３は、基本入出力プログラム等を記憶する不揮発性の記憶装置である。例えば、上述の情報表示プログラムがＲＯＭ５０３に記憶されているものとしてもよい。
【００１７】
補助記憶装置５０４は、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）等の記憶装置である。補助記憶装置５０４は、例えば、情報処理装置５０の動作を制御する制御プログラム、後述する特定の状況とレイアウト内容とを関連付けるレイアウトテーブル、ならびに、情報処理装置５０の動作に必要な各種のデータおよびファイル等を記憶する。
【００１８】
ネットワークＩ／Ｆ５０５は、サーバ４０等のネットワーク上の機器と通信を行うための通信インターフェースである。ネットワークＩ／Ｆ５０５は、例えば、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）に準拠したＮＩＣ（Ｎｅｔｗｏｒｋ  Ｉｎｔｅｒｆａｃｅ  Ｃａｒｄ）等によって実現される。
【００１９】
入力装置５０６は、タッチパネルの入力機能、キーボード、マウスおよび操作ボタン等のユーザインターフェース等である。表示装置５０７は、各種の情報を表示するディスプレイ装置である。表示装置５０７は、例えば、タッチパネルの表示機能、液晶ディスプレイ（ＬＣＤ：Ｌｉｑｕｉｄ  Ｃｒｙｓｔａｌ  Ｄｉｓｐｌａｙ）または有機ＥＬ（Ｅｌｅｃｔｒｏ−Ｌｕｍｉｎｅｓｃｅｎｃｅ）等である。表示装置５０７は、測定収集画面および解析画面を表示し、入力装置５０６を介した入出力操作に応じて画面が更新される。
【００２０】
なお、図２に示す情報処理装置５０のハードウェア構成は一例であり、これ以外の装置が備えられるものとしてもよい。また、図２に示す情報処理装置５０は、例えば、ＰＣ（Ｐｅｒｓｏｎａｌ  Ｃｏｍｐｕｔｅｒ）を想定したハードウェア構成であるが、これに限定されるものではなく、タブレット等のモバイル端末であってもよい。この場合、ネットワークＩ／Ｆ５０５は、無線通信機能を有する通信インターフェースであればよい。
【００２１】
また、サーバ４０のハードウェア構成についても、基本的に図２に示す情報処理装置５０のハードウェア構成と同様の構成で実現できる。ただし、例えば、サーバ４０の処理内容等を表示する必要がない場合、表示装置５０７を備えている必要はない。
【００２２】
（情報処理装置の機能ブロックの構成および動作）
図３は、情報処理装置の機能ブロックの構成の一例を示す図である。図３を参照しながら、本実施形態に係る情報処理装置５０の機能ブロックの構成および動作について説明する。
【００２３】
図３に示すように、情報処理装置５０は、収録表示制御部３０１と、解析表示制御部３０２と、マージ表示制御部３０３（変更部）と、設定部３０４と、解析部３０５と、通信部３０６と、センサ情報取得部３０７と、レイアウト用情報取得部３０８（取得部）と、レイアウト決定部３０９（決定部）と、記憶部３１０と、入力部３１１と、を有する。
【００２４】
収録表示制御部３０１は、例えば、後述する図６等に示す測定収録画面の表示動作を制御する機能部である。
【００２５】
解析表示制御部３０２は、例えば、後述する図１２および図１８等に示す解析画面の表示動作を制御する機能部である。
【００２６】
マージ表示制御部３０３は、例えば、後述する図２６等に示すマージ画面４００の表示動作を制御する機能部である。
【００２７】
設定部３０４は、入力部３１１により受け付けられた操作入力に従って、患者の診察結果と、解析画面の表示のレイアウト内容とを関連付けるレイアウトテーブルを設定して、記憶部３１０に記憶させる機能部である。
【００２８】
解析部３０５は、センサ情報取得部３０７により取得されたセンサ情報（測定された信号）の解析をする機能部である。センサ情報の解析には、信号波形の解析、振幅の特異点の解析、電流ダイポールの向きを含む脳磁場の解析等が含まれる。つまり、この例では、解析部３０５は、解析画面から選択されたアノテーションに対応する信号源を推定する機能を有している。
【００２９】
通信部３０６は、測定装置３またはサーバ４０等とデータ通信を行う機能部である。通信部３０６は、図２に示すネットワークＩ／Ｆ５０５によって実現される。
【００３０】
センサ情報取得部３０７は、測定装置３またはサーバ４０から、通信部３０６を介して、センサ情報（脳波信号または脳磁信号）を取得する機能部である。
【００３１】
レイアウト用情報取得部３０８は、サーバ４０から、通信部３０６を介して、後述する解析画面のレイアウトを決定付ける特定の状況を示す情報（決定情報の一例）を取得する機能部である。具体的には、本実施形態では、レイアウト用情報取得部３０８は、サーバ４０から、特定の状況を示す情報として、患者の診察結果（問診結果を含む）を含む患者情報を取得する。
【００３２】
レイアウト決定部３０９は、後述する記憶部３１０に記憶された、診察結果と解析画面のレイアウト内容とを関連付けるレイアウトテーブルを参照して、レイアウト用情報取得部３０８により取得された特定の状況を示す情報としての診察結果に対応するレイアウト内容を取得して、当該レイアウト内容を解析画面のレイアウトとして決定する機能部である。
【００３３】
記憶部３１０は、測定データ、解析結果、および後述するレイアウトテーブル等を記憶する機能部である。記憶部３１０は、図２に示すＲＡＭ５０２または補助記憶装置５０４によって実現される。
【００３４】
入力部３１１は、センサ情報に付加されるアノテーション情報の入力操作、および、設定部３０４にレイアウトテーブルを設定させるための入力操作等の各種入力操作を受け付ける機能部である。入力部３１１は、図２に示す入力装置５０６によって実現される。
【００３５】
上述の収録表示制御部３０１、解析表示制御部３０２、マージ表示制御部３０３、設定部３０４、解析部３０５、センサ情報取得部３０７、レイアウト用情報取得部３０８およびレイアウト決定部３０９は、図２に示すＣＰＵ５０１がＲＯＭ５０３等に記憶されたプログラムをＲＡＭ５０２に展開して実行することにより実現される。なお、収録表示制御部３０１、解析表示制御部３０２、マージ表示制御部３０３、設定部３０４、解析部３０５、センサ情報取得部３０７、レイアウト用情報取得部３０８およびレイアウト決定部３０９の一部または全部は、ソフトウェアであるプログラムではなく、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ−Ｐｒｏｇｒａｍｍａｂｌｅ  Ｇａｔｅ  Ａｒｒａｙ）等のハードウェア回路によって実現されてもよい。
【００３６】
また、図３に示した各機能部は、機能を概念的に示したものであって、このような構成に限定されるものではない。例えば、図３で独立した機能部として図示した複数の機能部を、１つの機能部として構成してもよい。一方、図３の１つの機能部が有する機能を複数に分割し、複数の機能部として構成するものとしてもよい。
【００３７】
（サーバの機能ブロック構成）
図４は、サーバの機能ブロックの構成の一例を示す図である。図４を参照しながら、本実施形態に係るサーバ４０の機能ブロック構成について説明する。
【００３８】
図４に示すように、サーバ４０は、情報管理部３５１と、通信部３５２と、記憶部３５３と、を有する。
【００３９】
情報管理部３５１は、診察結果（問診結果を含む）を含む患者情報、医師等のロール（専門）情報等を管理する機能部である。具体的には、情報管理部３５１は、例えば、情報処理装置５０から要求された患者情報またはロール情報等を、記憶部３５３から読み出して情報処理装置５０へ送信したり、情報処理装置５０からの追加または更新の要求に従って、新たな患者情報またはロール情報を記憶部３５３に追加または更新を行う。情報管理部３５１は、図２に示すＣＰＵ５０１がＲＯＭ５０３等に記憶されたプログラムをＲＡＭ５０２に展開して実行することにより実現される。
【００４０】
通信部３５２は、情報処理装置５０等とデータ通信を行う機能部である。通信部３５２は、図２に示すネットワークＩ／Ｆ５０５によって実現される。
【００４１】
記憶部３５３は、患者情報、ロール情報を含むユーザ情報、センサ情報、測定データ、および解析結果等を記憶する機能部である。記憶部３５３は、図２に示すＲＡＭ５０２または補助記憶装置５０４によって実現される。
【００４２】
なお、図４に示した各機能部は、機能を概念的に示したものであって、このような構成に限定されるものではない。例えば、図４で独立した機能部として図示した複数の機能部を、１つの機能部として構成してもよい。一方、図４の１つの機能部が有する機能を複数に分割し、複数の機能部として構成するものとしてもよい。
【００４３】
（開始画面）
図５は、情報処理装置に表示される開始画面の一例を示す図である。開始画面２０４には、「測定収録」および「解析」の選択ボタンが表示される。脳波測定および脳磁測定の場合、データの測定収録とデータの解析とでは、別々の主体によって行われる場合が多い。例えば、測定技師（測定者）によって「測定収録」のボタンが選択されると、測定装置３で測定されたデータは順次サーバ４０に保存され、情報処理装置５０に読み出されて表示される。測定収録の終了後、医師によって「解析」ボタンが選択されると、収録された測定データが読み出され解析される。
【００４４】
（測定収録時の動作）
図６は、測定収録画面の一例を示す図である。画面のタブ１１１に「測定収録」画面であることが表示されている。測定収録画面は、測定された信号波形を表示する領域２０１Ａと、信号波形以外のモニタ情報を表示する領域２０１Ｂと、を有する。信号波形を表示する領域２０１Ａは、測定者からみて画面の左側に配置され、信号波形以外のモニタ情報を表示する領域２０１Ｂは、測定者からみて画面の右側に配置されている。リアルタイムで検出され表示される波形の動き（画面の左側から右側に向かって表示される）に合わせた測定者の視線の動き、および、画面左側の領域２０１Ａから右側の領域２０１Ｂへマウスを移動させるときの動きに無駄が生じず、作業効率が向上する。
【００４５】
表示画面の領域２０１Ｂでは、測定中に被測定者の様子を確認するためのモニタウィンドウ１７０が表示される。測定中の被測定者のライブ映像を表示することで、後述するように、信号波形のチェックおよび判断の信頼性を高めることができる。図６では、ひとつのモニタディスプレイ（表示装置５０７）の表示画面に、測定収録画面の全体が表示される場合を示しているが、左側の領域２０１Ａと右側の領域２０１Ｂとを、２台またはそれ以上の台数のモニタディスプレイに分けて別々に表示してもよい。
【００４６】
図７は、測定収録画面の左側の領域の拡大図である。領域２０１Ａは、信号検出の時間情報を画面の水平方向（第１方向）に表示する表示領域１１０と、信号検出に基づく複数の信号波形を画面の垂直方向（第２方向）に並列に表示する表示領域１０１〜１０３と、を有する。
【００４７】
表示領域１１０で表示される時間情報は、図７の例では、時間軸１１２に沿って付された時間表示を含むタイムラインであるが、時間（数字）を表示せずに、帯状の軸だけでもよいし、軸を設けずに時間（数字）の表示だけであってもよい。なお、画面上側の表示領域１１０の他に、表示領域１０３の下側に時間軸１１２を表示して、タイムラインを表示してもよい。
【００４８】
領域２０１Ａでは、収録表示制御部３０１は、同種の複数のセンサから取得される複数の信号波形、または複数種類のセンサ群から取得される複数種類の信号の波形を、同じ時間軸１１２で同期して表示する。例えば、表示領域１０１には被測定者の頭部右側から得られる複数の脳磁信号の波形が、表示領域１０２には被測定者の頭部左側から得られる複数の脳磁信号の波形が、それぞれ並列に表示されている。表示領域１０３には、複数の脳波信号の波形が並列に表示されている。これらの複数の脳波信号波形は、各電極間で測定された電圧信号である。これらの複数の信号波形の各々は、その信号が取得されたセンサの識別番号またはチャネル番号と対応付けられて表示されている。
【００４９】
測定が開始され各センサからの測定情報が収集されると、時間の経過と共に領域２０１Ａの各表示領域１０１〜１０３の左端から右方向に向けて信号波形が表示される。ライン１１３は計測の時刻（現在）を示しており、画面の左から右に向けて移動する。領域２０１Ａの右端（時間軸１１２の右端）まで信号波形が表示されると、その後は画面の左端から右に向けて徐々に信号波形が消え、消えた位置に新しい信号波形が順次左から右方向に表示され、かつ、ライン１１３も左端から右に向けて移動していく。これと共に、水平方向の表示領域１１０でも測定の進行に対応して、時間の経過が時間軸１１２上に表示される。測定収録は、終了ボタン１１９が押されるまで継続される。
【００５０】
実施形態の特徴として、測定者（収録者）がデータ収録中に信号波形上で波形の乱れ、振幅の特異点等に気付いたときに、問題となる箇所または範囲を信号波形上でマークすることができる。マーキングの箇所または範囲は、マウス（入力部３１１の一例）によるクリック操作等で指定することができる。指定された箇所（または範囲）は、表示領域１０１〜１０３の信号波形上に強調表示されると共に、指定結果が対応する時刻位置または時間範囲で、表示領域１１０の時間軸１１２に沿って表示される。時間軸１１２上への表示を含むマーキングの情報は、信号波形データと共に、サーバ４０の記憶部３５３（または記憶部３１０）に保存される。指定された箇所は、ある時刻に対応し、指定された範囲は、ある時刻を含む一定範囲に対応する。
【００５１】
図７の例では、時刻ｔ１で、表示領域１０３で１以上のチャネルを含む範囲が指定され、マーク１０３ａ−１で時刻ｔ１を含んだ時間がハイライト表示されている。マーク１０３ａ−１の表示と関連して表示領域１１０の対応する時刻位置に、指定結果を示すアノテーション１１０ａ−１が表示されている。時刻ｔ２で、表示領域１０３で別の波形位置またはその近傍がマークされ、その位置（時刻ｔ２）または近傍の領域（少なくとも時間範囲か複数の波形のいずれか一つが指示される）にマーク１０３ａ−２がハイライト表示されている。同時に、表示領域１１０の対応する時刻位置（時間範囲）に、アノテーション１１０ａ−２が表示される。ここで、アノテーションとは、あるデータに対して関連する情報を注釈として付与することを示す。本実施形態では、少なくとも指定された時間情報に基づいて注釈として表示されるものであって、少なくとも時間情報に基づく波形が表示される位置と結び付けて、注釈として表示するものである。また、複数のチャネルを表示する場合、対応するチャネル情報と結びつけ、注釈として表示してもよい。
【００５２】
時刻ｔ１で表示領域１１０に追加されたアノテーション１１０ａ−１は、一例として、アノテーション識別番号と、波形の属性を示す情報とを含む。この例では、アノテーション番号「１」と共に、波形の属性を表わすアイコンと「ｓｔｒｏｎｇ  ｓｐｉｋｅ」（ストロングスパイク）というテキスト情報が表示されている。
【００５３】
時刻ｔ２で、測定者が別の波形箇所またはその近傍領域を指定すると、収録表示制御部３０１は、指定された箇所でマーク１０３ａ−２をハイライト表示し、これと共に、表示領域１１０の対応する時刻位置に、アノテーション番号「２」を表示する。さらに、収録表示制御部３０１は、ハイライト表示された箇所に、属性選択のためのポップアップウィンドウ１１５を表示する。ポップアップウィンドウ１１５は、種々の属性を選択する選択ボタン１１５ａと、コメントおよび追加情報を入力する入力ボックス１１５ｂと、を有する。選択ボタン１１５ａには、波形の属性として「速波（ｆａｓｔ  ａｃｔｉｖｉｔｙ）」、「眼球運動（ｅｙｅ  ｍｏｔｉｏｎ）」、「体動（ｂｏｄｙ  ｍｏｔｉｏｎ）」、「スパイク（ｓｐｉｋｅ）」等、波形乱れの要因が示されている。測定者は、画面の領域２０１Ｂのモニタウィンドウ１７０（図６参照）で被測定者の様子を確認することができるので、波形の乱れの原因を示す属性を適切に選択することができる。例えば、波形にスパイクが生じたときに、てんかんの症状を示すスパイクなのか、被測定者の体動（くしゃみ等）に起因するスパイクなのかを判断することができる。
【００５４】
時刻ｔ１でも同じ操作が行われており、図７では、ポップアップウィンドウ１１５で「スパイク」の選択ボタン１１５ａが選択され、入力ボックス１１５ｂに「ｓｔｒｏｎｇ  ｓｐｉｋｅ」と入力されたことにより、収録表示制御部３０１は、表示領域１１０にアノテーション１１０ａ−１を表示している。このような表示態様により、同じ時間軸１１２上に多数の信号波形を同期して表示する際に、信号波形の注目箇所または範囲を視認により容易に特定することができ、かつ注目箇所の基本情報を容易に把握することができる。
【００５５】
なお、アノテーション１１０ａ−１の一部または全部、例えば、属性アイコンおよびテキストアノテーションの少なくとも一方を、表示領域１０３の信号波形上のマーク１０３ａ−１の近傍にも表示してもよい。信号波形上へのアノテーションの追加は、波形形状のチェックの妨げになる場合もあり得るので、表示領域１０１〜１０３の信号波形上にアノテーションを表示させる場合は、表示・非表示を選択可能にしておくことが望ましい。
【００５６】
カウンタボックス１１８は、スパイクアノテーションの累積数を表示する。「スパイク」が選択される都度、カウンタボックス１１８のカウンタ値がインクリメントされ、収録開始から現在（ライン１１３）までのトータルのスパイク数が一目でわかるようになっている。
【００５７】
図８は、測定収録画面の右側の領域の拡大図である。図８は、図７と同じ時刻（ライン１１３の時点）での状態を示す。領域２０１Ｂのモニタウィンドウ１７０では、頭部を測定装置３に入れて測定テーブル４に横たわっている被測定者の状態のライブ映像が表示される。領域２０１Ｂでは、表示領域１０１、１０２、１０３の信号波形の各々に対応する分布図１４１、１４２、１３０と、アノテーションリスト１８０と、が表示される。アノテーションリスト１８０は、図７の信号波形上でマークされたアノテーションの一覧である。表示領域１０１〜１０３で信号波形上の位置または範囲が指定されアノテーションが付される都度、対応する情報がアノテーションリスト１８０に順次追加される。測定収録画面におけるアノテーションリスト１８０への追加および表示は、例えば、降順（新しいデータを上に表示）で行われるが、この例に限定されない。アノテーションリスト１８０の表示を昇順にしても構わないが、表示領域１１０で時間軸１１２に沿って表示されるアノテーションとの対応関係がわかるように表示する。さらに、表示順序を変更させたり、項目ごとにソートさせることも可能である。
【００５８】
図８の例では、アノテーション番号「１」に対応する時刻情報と、付加されたアノテーション情報とがリストされている。アノテーション情報として、「スパイク」を表わす属性アイコンと、「ｓｔｒｏｎｇ  ｓｐｉｋｅ」というテキストが記録されている。また、マーク１０３ａ−２がハイライト表示された時点で、アノテーション番号「２」に対応する時刻情報がリストされている。ここでは、「アノテーション」は、アノテーション番号と、時刻情報と、アノテーション情報との組であると考えてもよいし、アノテーション情報のみであると考えてもよいし、アノテーション情報と、アノテーション番号または時刻情報との組であると考えてもよい。
【００５９】
また、アノテーションリスト１８０の近傍に、表示／非表示の選択ボックス１８０ａが配置されている。選択ボックス１８０ａで非表示が選択されると、表示領域１０１〜１０３で、信号波形上のハイライトマーク以外のアノテーションが非表示にされるが、表示領域１１０の時間軸１１２に沿ったアノテーションの表示は維持される。これにより、信号波形の視認性を阻害せずにアノテーション情報を認識可能にする。
【００６０】
図９は、アノテーション情報が入力された直後の画面を示す図である。具体的には、図９は、時刻ｔ２でポップアップウィンドウ１１５の「スパイク」が選択され、「ｎｏｒｍａｌ  ｓｐｉｋｅ」（ノーマルスパイク）というテキストが入力された直後の画面を示す。図７で例示したポップアップウィンドウ１１５で「ＯＫ」ボタンが選択されると、収録表示制御部３０１は、ポップアップウィンドウ１１５を閉じて、図９に示すように表示領域１１０の対応する時刻位置にアノテーション１１０ａ−２を表示する。収録表示制御部３０１は、アノテーション番号「２」と対応付けて、「スパイク」を表わす属性アイコンと、「ｎｏｒｍａｌ  ｓｐｉｋｅ」のテキスト情報とを表示する。これと同時に、カウンタボックス１１８の値がインクリメントされる。また、収録表示制御部３０１は、ハイライト表示されたマーク１０３ａ−２の近傍に、属性アイコン１０６−２を表示する。この例では、マーク１０３ａ−１の近傍にも属性アイコン１０６−１が表示されているが、上述したように、属性アイコン１０６−１、１０６−２の表示、非表示は選択可能である。マーク１０３ａ−１と属性アイコン１０６−１とを含むアノテーションＡ１、及びマーク１０３ａ−２と属性アイコン１０６−２とを含むアノテーションＡ２も、アノテーション情報に含まれる。
【００６１】
図１０は、更新されたアノテーションリストの図である。測定収録画面の左側の領域２０１Ａでマーク１０３ａー２に対応するアノテーションが付加されたことにより、アノテーションリスト１８０が更新される。アノテーション番号「２」に「ｎｏｒｍａｌ  ｓｐｉｋｅ」というメモが追加される。
【００６２】
以下同様に、測定中に領域２０１Ａで信号波形上の特定の箇所または範囲が指定される都度、指定箇所が強調表示されるとともに、表示領域１１０の時間軸１１２に沿ってアノテーション情報が表示される。領域２０１Ｂでは、アノテーションリスト１８０にアノテーション情報が順次追加される。
【００６３】
なお、アノテーションリスト１８０および信号波形表示の領域２０１Ａにおいて、アノテーション番号の表示は必須ではなく、用いなくてもよい。付加されたアノテーションを識別できる情報であれば任意の情報を識別情報として用いることができる。例えば、属性アイコンと、属性文字列（「ｓｔｒｏｎｇ  ｓｐｉｋｅ」等）と、時間軸１１２の近傍に時刻とを対応付けて表示してもよい。さらに、領域２０１Ａにファイル番号（図１０の「Ｆｉｌｅ」の項目に表示される番号）を併記して表示してもよい。
【００６４】
終了ボタン１１９（図７参照）が選択（押下）され測定が終了すると、表示領域１０１〜１０３で指定されたハイライト箇所は信号波形に対応付けて保存される。表示領域１１０の対応する時刻位置に表示されたアノテーション情報も、アノテーション番号および時刻に対応付けて保存される。カウンタボックス１１８のカウンタ値、および、アノテーションリスト１８０の内容等の関連情報も保存される。これらの表示情報を保存することで、測定者と解析者が異なる場合でも、解析者は容易に問題となる箇所を認識し、解析することができる。
【００６５】
図１１は、測定収録時の情報処理装置の動作を示すフローチャートである。図５に示す開始画面２０４で「測定収録」が選択されると（ステップＳ１１）、測定が開始され、複数の信号の波形が同じ時間軸に沿って同期して表示される（ステップＳ１２）。ここで「複数の信号波形」という場合は、同一種類の複数のセンサで検知された信号波形と、異なる種類のセンサの各々で検知された複数の信号波形の両方を含む。この例では、複数の生体信号の波形は、被測定者の頭部右側に対応する磁気センサ群から得られる脳磁信号の波形と、被測定者の頭部左側に対応する磁気センサ群から得られる脳磁信号の波形と、被測定者の脳波測定用の電極から得られる脳波信号の波形と、から構成されるが、これに限られるものではない。なお、センサの選択については、左／右のセンサ群にとらわれず、頭頂部、前頭葉、側頭葉などのパートから、任意に選択可能である。例えば図８等に示す「ＭＥＧ  Ｗｉｎｄｏｗ  Ｃｏｎｔｒｏｌ  １」（分布図１４１）で頭頂部のセンサが選択された場合は、「ＭＥＧ  Ｗｉｎｄｏｗ  Ｃｏｎｔｒｏｌ  ２」（分布図１４２）でそれ以外のセンサが選択された状態となる。
【００６６】
情報処理装置５０は、表示されている信号波形上で注目箇所または範囲が指定されたか否かを判断する（ステップＳ１３）。注目箇所または範囲の指定があると（ステップＳ１３：Ｙｅｓ）、信号波形の表示領域（表示領域１０１〜１０３）に指定箇所を強調表示するとともに、時間軸領域（表示領域１１０）の対応する時刻位置に指定結果を表示する（ステップＳ１４）。指定結果には、指定がなされたこと自体を示す情報、または指定の識別情報が含まれる。時間軸領域への指定結果の表示と同時に、またはそれに前後して、アノテーションの入力要求の有無を判断する（ステップＳ１５）。アノテーション入力の要求がある場合は（ステップＳ１５：Ｙｅｓ）、入力されたアノテーション情報を時間軸領域の対応する時刻位置に表示するとともに、アノテーションリスト１８０に追加する（ステップＳ１６）。その後、測定終了コマンドが入力されたか否かを判断する（ステップＳ１７）。注目位置（領域）の指定がない場合（ステップＳ１３：Ｎｏ）、および、アノテーションの入力要求がない場合（ステップＳ１５：Ｎｏ）は、ステップＳ１７へ移行して測定終了の判断を行う。測定が終了するまで（ステップＳ１７：Ｙｅｓ）、ステップＳ１３〜Ｓ１６を繰り返す。
【００６７】
この情報表示方法により、複数のセンサからの信号を収集する際に、信号情報の視認性の高い測定収録画面が提供される。
【００６８】
（解析時の動作）
図１２は、解析画面の一例を示す図である。解析画面は、図５の開始画面２０４で「解析」ボタンを選択することで表示させる。画面のタブ１１１に「解析」画面であることが表示されている。解析画面は、測定により得られた被検者の１以上の生体信号（この例では、被測定者の頭部右側に対応する磁気センサ群から得られる脳磁信号、被測定者の頭部左側に対応する磁気センサ群から得られる脳磁信号、被測定者の脳波測定用の電極から得られる脳波信号）の経時的変化を示す生体データと、測定時に生体データに対して入力されたアノテーションとを対応付けた画面である。なお、本実施形態では、後述するように、特定の状況を示す情報（本実施形態では、診察結果を含む患者情報）に応じて、解析画面のレイアウトを変更するが、図１２〜図１７では、レイアウト変更する前のベースのレイアウトとなる解析画面における表示動作について説明する。
【００６９】
本実施形態の情報処理装置５０（解析表示制御部３０２）は、この解析画面を表示部（後述の表示装置２８）に表示する制御を行う機能を有している。図１２の例では、解析画面は、収録された３つの生体信号の経時的変化を示す波形（生体データに相当）をアノテーションと共に表示する領域２０２Ａと、解析情報を表示する領域２０２Ｂと、を有する。収録された信号波形およびアノテーション情報を表示する領域２０２Ａは、測定者からみて画面の左側に配置され、解析表示する領域２０２Ｂは、測定者からみて右側に配置されている。これは、解析の際に、領域２０２Ａで信号波形をチェックまたは選択しながら、マウス等を操作して領域２０２Ｂで解析結果を確認または確定させる作業の効率が良いからである。
【００７０】
本実施形態では、領域２０２Ａの表示領域１０３（図１３で後述）の脳波信号の波形の画面上方に、表示領域１０１、１０２（図１３で後述）の脳磁信号の波形を表示している。また、領域２０２Ａの右側の領域２０２Ｂでは、領域２０２Ａに近い側の画面領域で、かつ、画面上方に脳磁の分布図１４１、１４２（図１４で後述）を表示し、脳波の分布図１３０（図１４で後述）をその下方に表示している。このため、解析者は、表示領域１０３の「脳波信号の波形」→表示領域１０１、１０２の「脳磁信号の波形」→脳磁の分布図１４１、１４２→脳波の分布図１３０の順に（この場合は、時計回りで）視線移動を行える。そのため、解析者（または測定者）の視線移動が効率的になり、その結果、解析作業効率を向上させることが可能となる。なお、上述では、時計回りとして説明したがこの例に限定されない。
【００７１】
図１３は、解析画面の左側の領域の拡大図である。領域２０２Ａは、測定時の時間情報を画面の水平方向（第１方向）に表示する表示領域１１０および表示領域１２０と、収録された信号波形を種類ごとに画面の垂直方向（第２方向）に並べて表示する表示領域１０１〜１０３と、を有する。表示領域１０１には被測定者の頭部右側から得られる複数の脳磁信号の波形が、表示領域１０２には被測定者の頭部左側から得られる複数の脳磁信号の波形が、それぞれ並列に表示されている。表示領域１０３には、複数の脳波信号の波形が並列に表示されている。これらの複数の脳波信号波形は、各電極間で測定された電圧信号である。これらの複数の信号波形の各々は、その信号が取得されたセンサの識別番号またはチャネル番号と対応付けられてチャネル軸１０４に表示されている。
【００７２】
表示領域１１０には、収録時の時間の経過を示す時間軸１１２と、時間軸１１２に沿って付加されたアノテーション１１０ａ−７、１１０ａ−８と、が表示されている。表示領域１２０には収録時間の全体を示す時間軸１２２が表示される。時間軸１２２に沿って、アノテーションが付加された時刻位置を示すポインタマーク１２０ａと、表示領域１０１〜１０３に現在表示されている信号波形が収録された時間帯を示すタイムゾーン１２０ｂとが表示される。この表示により、解析者は、現在解析中の信号波形が、測定収録時のどの段階で取得された信号波形なのかを直感的に把握することができる。
【００７３】
解析者は、解析画面を開いた後に、例えば、時間軸１２２のバー上でタイムゾーン１２０ｂをドラッグすることで所望の時間帯の信号波形を表示領域１０１〜１０３に表示させることができる。または、後述するように、アノテーションリスト１８０の中から所望のアノテーションを選択することで、そのアノテーションを含む前後の信号波形を表示領域１０１〜１０３に表示させることができる。
【００７４】
表示領域１０１〜１０３には、収録時に信号波形に付加されたアノテーションＡ７、Ａ８が表示されている。マーク１０３ａ−７、１０３ａ−８がハイライト表示され、マーク１０３ａ−７、１０３ａ−８の近傍に対応する属性アイコン１０６−７、１０６−８が表示されている。また、マーク１０３ａ−７、１０３ａ−８の時刻位置を示す縦のライン１１７−７、１１７−８が表示されている。ライン１１７−７、１１７−８が表示されることで、例えば、表示領域１０３の所定の箇所の指定と関連してアノテーションが付加されたときに、異なる種類の信号表示エリアである表示領域１０１、１０２においても、指定の結果が容易に視認できる。ライン１１７−７、１１７−８は、アノテーション情報の視認を容易にするという意味でアノテーション情報に含めることができ、「アノテーションライン」と称してもよい。ライン１１７−７、１１７−８を選択することで、その時刻の前後の一定時間を含めて、信号波形が拡大表示される。この処理については後述する。
【００７５】
また、チャネル軸１０４の隣に、脳磁の分布図１４１、１４２、脳波の分布図１３０の各縮小画像１４１ａ、１４２ａ、１３０ａが表示されている。縮小画像１４１ａ、１４２ａ、１３０ａは、それぞれ、脳磁の分布図１４１、１４２、脳波の分布図１３０の描画形状を小さくしたものであり、脳磁の分布図１４１、１４２、脳波の分布図１３０の設定状態を表示している。例えば、脳磁の分布図１４１、１４２で選択したセンサの範囲を縮小画像１４１ａ、１４２ａでは塗りつぶして表示している。
【００７６】
図１４は、解析画面の右側の領域の拡大図である。領域２０２Ｂでは、表示領域１０１、１０２に表示されている信号波形に対応する脳磁の分布図１４１、１４２と、表示領域１０３に表示されている信号波形に対応する脳波の分布図１３０と、が表示されている。また、領域２０２Ｂでは、脳磁図の等磁場図１５０と、脳波図のマップエリア１６０と、ＭＲＩ（磁気共鳴画像：Ｍａｇｎｅｔｉｃ  Ｒｅｓｏｎａｎｃｅ  Ｉｍａｇｉｎｇ）で取得された被測定者の脳の断層画像の表示ウィンドウ１９０と、が表示されている。等磁場図１５０では、磁場の湧き出し領域と沈み込み領域が色分けされて表示され、電流の流れる方向が視覚的に把握される。等磁場図１５０およびマップエリア１６０は、測定完了後に得られる情報であり、表示ウィンドウ１９０に表示されるＭＲＩの断層画像は、別途検査で得られる情報である。
【００７７】
モニタウィンドウ１７０には、表示領域１０１〜１０３の信号波形が取得された時刻に同期して、測定時の被測定者の映像が表示される。解析者は、モニタウィンドウ１７０を見て被測定者の状態を確認しながら信号波形を解析することができる。
【００７８】
アノテーションリスト１８０は、測定収録で付加されたすべてのアノテーションがリストされている。アノテーションリスト１８０には、アノテーション番号１８１と対応付けて付加されたアノテーション情報（属性アイコン、テキスト入力情報等）が記載されている。
【００７９】
なお、解析画面のアノテーションリスト１８０は、例えば、付加されたアノテーションが昇順で（古いデータが上になるように）表示されるが、これに限定されない。測定収録画面と同様にアノテーション番号の使用は必須ではなく、時刻、ファイル名、属性等の組み合わせでアノテーションを識別することも可能である。また、アノテーションリスト１８０に含まれるアノテーションの表示順序の変更、または、項目ごとのソートも可能である。
【００８０】
所望のアノテーション番号１８１または行をクリックすることで、図１３の表示領域１０１〜１０３に、そのアノテーションが付加された時刻位置を含む所定の時間帯の信号波形を表示させることができる。
【００８１】
測定収録画面と異なり、解析表示制御部３０２は、解析者がアノテーション部分の信号波形を確認して最終的に信号源の推定がなされたアノテーションについて、推定完了マーク１８２を表示する。
【００８２】
アノテーションの表示／非表示を選択する選択ボックス１８０ａで非表示の指定がされると、図１３の表示領域１０３の属性アイコン１０６−７、１０６−８が消える。なお、表示／非表示の選択ボックス１８０ａで、ハイライトされたマーク１０３ａ−７、１０３ａ−８の非表示を選択できるようにしてもよい。
【００８３】
図１５は、解析画面で特定のアノテーションラインが選択された直後の画面を示す図である。具体的には、図１５は、図１３の解析画面でライン１１７−７が選択（例えば、ダブルクリック）された直後の画面の全体図を示す。解析者がアノテーションＡ７に着目して、この領域の波形を解析するためにライン１１７−７を選択（例えば、ダブルクリック）すると、解析表示制御部３０２は、ハイライトされた信号波形の近傍の信号波形を、拡大表示領域２００に拡大表示する。解析表示制御部３０２は、領域１１４で示される一定の時間範囲にわたって、信号波形を、時刻位置を示すライン２１７−７と共に拡大表示する。
【００８４】
図１６は、図１５の画面の左側の領域の拡大図である。すなわち、図１６は、図１５の左側の領域２０３Ａ（信号波形の表示領域）の拡大図である。解析者は、拡大表示領域２００に信号波形を拡大表示することで、収録時に付加されたマークの妥当性を再確認し、または、計測収録時にチェックされていない波形部分をチェックすることができる。例えば、ライン２１７−７を左右にドラッグすることで、問題となる波形の正確な個所を特定または変更することができる。拡大表示領域２００に、表示領域１０３でハイライト表示されているマーク１０３ａ−７および属性アイコン１０６−７（図１３参照）を反映させてもよい。ただし、振幅の特異点を正確に判断する際の視認の妨げになることも考えられるので、拡大表示領域２００にハイライトされたマーク１０３ａ−７および属性アイコン１０６−７を表示する場合は、表示と非表示との選択を可能にしておくことが望ましい。
【００８５】
拡大表示領域２００に表示する信号波形の種類と、チャネル範囲とを指定することも可能である。例えば、解析者は、視線を表示領域１０３でハイライトされたマーク１０３ａ−７から画面の上方へ移し、脳磁波形の表示領域１０１または１０２の波形に振幅の特異点がないかを確認する。この場合、ボックス１２５に表示領域１０１または１０２のターゲットのチャネル領域を入力することで、拡大表示領域２００にマーク１０３ａ−７と関連する脳磁波形を拡大表示することができる。
【００８６】
拡大表示領域２００の画面の下側には、確認ウィンドウ２１０が表示されている。確認ウィンドウ２１０は、信号波形の属性ボタン２１１と、信号源の推定ボタン２１２とを含む。属性ボタン２１１は、測定収録画面のポップアップウィンドウ１１５に含まれる属性情報と対応し、収録時に付加された属性が誤っているときは、属性ボタン２１１を選択して正しい属性を選択することができる。信号波形の正しい位置または属性の選択が確認されたならば、推定ボタン２１２をクリックすることで信号源の推定をアノテーションに反映することができる。つまり、本実施形態の情報処理装置５０（解析部３０５）は、解析画面から選択されたアノテーションに対応する信号源を推定する機能を有している。後述するように、推定された信号源は、複数のＭＲＩの断層画像のうち該推定された信号源に対応する断層画像上に重畳して表示されることになる。
【００８７】
図１７は、図１５の画面の右側の領域の拡大図である。すなわち、図１７は、図１５の右側の領域２０３Ｂの拡大図である。図１６で、所望のアノテーションについて、信号波形位置および属性が確認され、信号源の推定ボタン２１２が選択されると、アノテーションリスト１８０の対応するアノテーション（この例では、アノテーション番号「７」）に、推定完了マーク１８２が付加される。さらに、表示ウィンドウ１９０のＭＲＩ断層画像に、ダイポールの推定結果１９０ａが表示される。
【００８８】
解析者によって、表示領域１０１〜１０３にハイライト表示されるマーク位置、またはアノテーションの内容が変更される場合に、アノテーションリスト１８０の更新方法には、２通りの方法がある。解析者による最新の更新情報だけをアノテーションリスト１８０に反映する方法と、測定収録時のアノテーション情報を維持したまま、新たなアノテーション情報として追加する方法である。後者の方法を採用する場合は、アノテーション識別情報として、例えば、収録時のアノテーション番号からの枝番号を付けることができる。この場合、表示領域１１０にも新たなアノテーション情報を追加して、追加のアノテーション情報を時間軸に沿って異なる色で表示してもよい。
【００８９】
図１８は、第１の実施形態における解析画面で一方の脳磁信号波形の表示領域を拡大した例を示す図である。図１９は、第１の実施形態のレイアウトテーブルの一例を示す図である。図２０は、解析画面のレイアウト変更の動作を示すフローチャートである。図１８〜図２０を参照しながら、本実施形態に係る情報処理装置５０での解析画面の表示内容のレイアウトを変更する動作について説明する。
【００９０】
上述したように、脳磁計や脳波計で計測した情報を表示する際に、例えば、予め行われた患者への診察（問診を含む）による結果によって、解析画面に表示する情報をどのような態様で表示することが適切であるかが概ね定まっている場合がある。例えば、診察の結果、脳の左側に患部があることが予想される場合、解析表示制御部３０２は、解析画面を初期表示させる際に、図１８に示すように、患者（被測定者）の頭部左側から得られる脳磁信号を表示した表示領域１０１を拡大表示させる。この際、解析表示制御部３０２は、図１８に示すように、患者の頭部右側から得られる脳磁信号を表示した表示領域１０２の上下幅を表示領域１０１に比べて縮小して表示させるものとしてもよい。また、表示領域１０２を縮小表示させる際には、縮小画像１４２ａで選択されているチャネルに対応する信号の間隔を縮めてすべての信号を表示するものとしてもよく、または、選択されているチャネルから間引きしたチャネルのみの信号を表示するものとしてもよい。さらに、表示領域１０１および表示領域１０２のチャネル軸１０４に表示されるセンサ（チャネル）の数は同じであってもよく、すべてのセンサ（チャネル）が表示されてもよい。なお、診察の結果から脳の右側に患部がないと予想される場合、解析表示制御部３０２は、頭部右側から得られる脳磁信号を表示する表示領域１０２を非表示にしてもよく、または、脳波信号に異常が見られない場合、解析表示制御部３０２は、脳波信号を表示する表示領域１０３を非表示とするものとしてもよい。このとき、脳の右側に患部がないことの情報または脳波信号に異常が見られないことの情報を受信したことにより、解析表示制御部３０２が表示領域を非表示とする制御を行うものであってもよい。
【００９１】
上述のような、予め行われた患者への診察（問診を含む）による結果に基づいて、解析画面の表示内容のレイアウトを変更（例えば、上述のように、表示領域１０１の拡大表示、表示領域１０２の縮小表示）する動作の詳細を図１９および図２０を用いて説明する。まず、情報処理装置５０は、患者のどのような診察結果の場合、どのような解析画面のレイアウトとするかについて関連付けるためのレイアウトテーブルを有している。例えば、解析画面の利用者（医師等）は、図３に示す入力部３１１から診察結果（診断結果）の操作入力を行うと、設定部３０４は、その操作入力に従って、診察結果（問診結果を含む）と、解析画面の表示のレイアウト内容とを関連付けるレイアウトテーブル１００１（レイアウト情報の一例）を設定して、記憶部３１０に記憶させる（ステップＳ４１）。例えば、入力部３１１に対して、測定収録画面のメニューからレイアウトテーブル１００１の診察結果のような選択肢からの選択操作、もしくは診察結果の入力操作を行う形態、または、測定収録画面とは別の入力画面から当該選択操作もしくは当該入力操作を行う形態とすることが可能である。図１９に示すレイアウトテーブル１００１の例では、例えば、「右脳に患部有り」という診察結果に対して、「右脳の脳磁信号波形拡大、左脳の脳磁信号波形縮小」というレイアウト内容が関連付けられている。なお、レイアウトテーブル１００１は、テーブル形式の情報としているが、これに限定されるものではなく、テーブルの各フィールドの値が互いに関連付けて管理することができれば、どのような形式の情報であってもよい。
【００９２】
また、医師は、図６に示す測定収録画面を用いた測定収録の前に患者に対して診察を行った際に、その診察結果（問診結果を含む）の情報を、サーバ４０の記憶部３５３に記憶されている当該患者の患者情報に反映する。この患者情報の反映（更新）は、情報処理装置５０に対する入力操作によって行われてもよく、サーバ４０に対して直接、入力することによって行われるものとしてもよい。
【００９３】
そして、特定の患者に対する測定収録（ステップＳ４２）を実施した後、解析画面の利用者（医師等）は、その特定の患者の測定データ（脳磁信号および脳波信号等）を解析するために、情報処理装置５０において解析画面を選択して開いた際（ステップＳ４３）、レイアウト用情報取得部３０８は、当該患者の測定データに関連付けられた患者情報（診察結果を含む）を、サーバ４０から通信部３０６を介して取得する。レイアウト決定部３０９は、記憶部３１０に記憶されたレイアウトテーブル１００１を参照して、レイアウト用情報取得部３０８により取得された患者情報の診察結果に対応するレイアウト内容を取得し、当該レイアウト内容を解析画面のレイアウトとして決定する。解析表示制御部３０２は、レイアウト決定部３０９により決定された解析画面のレイアウト内容に従って、図１２等に示すベースのレイアウトとなる解析画面から、レイアウト変更を行って初期レイアウトを構成して表示する（ステップＳ４４）。
【００９４】
このように、予め行われた患者への診察（問診を含む）による結果に応じて、解析画面のレイアウトを変更し、初期レイアウトとして表示することによって、診察結果（特定の状況の一例）に応じて、表示する情報のレイアウトを適切に変更することができる。これによって、患者の所見から不要な情報は非表示とし、必要な情報を見やすく表示できるため、解析作業を容易にすることができる。
【００９５】
なお、レイアウトが変更されて初期表示された解析画面は、その後、利用者の操作入力によって手動でレイアウト変更することも当然可能である。
【００９６】
また、上述のレイアウト変更の内容は一例を示すものであり、これらに限定されるものではなく、例えば、診察結果に応じて、測定データ（脳磁信号、脳波信号等）に対してフィルタをかけたり、脳磁信号の特定のチャンネルを選択状態にしたり、または、特定のモンタージュパターン（図１４に示す分布図１３０）の脳波信号を図７に示す表示領域１０３に表示させる等のレイアウト変更を行うものとしてもよい。モンタージュパターンの例として、共通の参照電極を用いた単独誘導（例えば図２１）、頭部の２転換の電極を用いた縦列双極誘導（例えば図２２）、または横列双極誘導（例えば図２３）等がある。
【００９７】
また、患者情報に含まれる診察結果から、当該診察結果に関連付けられたレイアウト内容をレイアウトテーブル１００１から取得して、レイアウト変更を行うものとしたが、これに限定されるものではない。例えば、特定の患者の測定データを解析するために開いた解析画面について、最終的にカスタマイズされたレイアウト（例えば、解析処理が終わった時点でのレイアウト等）の情報を、患者情報に関連付けて、または、患者情報に含めて、サーバ４０に記憶させておくものとしてもよい。そして、次回、当該患者の測定データを確認等するために解析画面を開いた場合、当該患者の患者情報に含まれる、または患者情報に関連付けられたレイアウトの情報に従って、解析画面のレイアウトを変更するものとしてもよい。
【００９８】
図２４は、解析時の情報処理装置の動作を示すフローチャートである。図２５は、解析画面を表示する時の動作を示すフローチャートである。開始画面２０４（図５参照）で「解析」が選択されると（ステップＳ２１）、解析が開始され、解析画面が表示される（ステップＳ２２）。
【００９９】
このとき、解析画面の初期表示の際のレイアウトは以下のように変更される。解析画面の利用者（医師等）は、特定の患者の測定データ（脳磁信号および脳波信号等）を解析するために、情報処理装置５０において解析画面を開いた際、レイアウト用情報取得部３０８は、当該患者の測定データに関連付けられた患者情報（診察結果を含む）を、サーバ４０から通信部３０６を介して取得する（ステップＳ２２１）。次に、レイアウト決定部３０９は、記憶部３１０に記憶されたレイアウトテーブル１００１を参照して（ステップＳ２２２）、レイアウト用情報取得部３０８により取得された患者情報の診察結果に対応するレイアウト内容を取得し、当該レイアウト内容を解析画面のレイアウトとして決定する（ステップＳ２２３）。そして、解析表示制御部３０２は、レイアウト決定部３０９により決定された解析画面のレイアウト内容に従って、図１２等に示すベースのレイアウトとなる解析画面から、レイアウト変更を行って初期レイアウトを構成して表示する（ステップＳ２２４）。
【０１００】
解析画面が表示されると、特定のアノテーションが選択されたか否かが判断される（ステップＳ２３）。アノテーションの選択は、アノテーションリスト１８０内での特定のアノテーション番号または行の選択であってもよいし、表示領域１２０の時間軸１２２上のタイムゾーン１２０ｂを操作することによる時刻位置の指定であってもよい。アノテーションの選択があると（ステップＳ２３：Ｙｅｓ）、選択されたアノテーションの時刻位置を含む所定時間分の信号波形が表示される（ステップＳ２４）。
【０１０１】
表示された場面で、ハイライト表示されたマークの時間位置を示すライン１１７が選択されたか否かが判断される（ステップＳ２５）。ライン１１７が選択されると（ステップＳ２５：Ｙｅｓ）、選択されたラインを含む一定の時間範囲の信号波形が拡大表示される（ステップＳ２６）。拡大表示領域２００に表示される波形のチャネルは、ステップＳ２２４で決定したセンサに対応する。ここで、拡大表示領域２００における拡大表示は、必ずしもハイライト表示されたマークの近傍の信号波形に限定されず、同じ時間位置の異なる種類の信号波形を拡大表示してもよい。例えば、脳波信号波形にハイライト表示されたマークが付されている場合に、同じ時間位置の脳磁信号波形を拡大表示させてもよい。また、すべてのチャネルの信号波形を拡大表示する代わりに、マークされた信号波形が取得されたチャネルを含む一定範囲のチャネルで取得された信号波形を拡大表示させてもよい。この場合、拡大表示させたい信号波形の種類、またはチャネル範囲の指定入力の有無を判断してもよい。
【０１０２】
次に、信号源の推定ボタン２１２が押下されたか否かが判断される（ステップＳ２７）。信号源の推定ボタン２１２が押下されると（ステップＳ２７：Ｙｅｓ）、信号源推定の演算が行われる。推定結果がＭＲＩ断層画面に表示されると共に、推定完了マーク１８２がアノテーションリスト１８０に追加される（ステップＳ２８）。そして、アノテーションリスト１８０の下に配置されたマージボタン１８５（図１７参照）の押下を受け付けた場合（ステップＳ２９：Ｙｅｓ）、情報処理装置５０のマージ表示制御部３０３は後述のマージ画面４００を表示し、マージ画面４００に関する処理を行う（ステップＳ３０）。ステップＳ２９およびステップＳ３０の具体的な内容については後述する。マージボタン１８５の押下を受け付けなかった場合（ステップＳ２９：Ｎｏ）、または、ステップＳ３０の後は、解析終了コマンドが入力されたか否かが判断される（ステップＳ３１）。アノテーションの選択がない場合（ステップＳ２３：Ｎｏ）、拡大表示のためのアノテーションラインの選択がない場合（ステップＳ２５：Ｎｏ）、および、信号源の推定ボタン２１２押下の入力がない場合（ステップＳ２７：Ｎｏ）は、ステップＳ３１へ移行して解析終了の判断を行う。解析終了コマンドが入力されるまで（ステップＳ３１：Ｙｅｓ）、ステップＳ２３〜Ｓ３０が繰り返される。
【０１０３】
なお、ステップＳ２６とＳ２７の間に、アノテーションが変更されたか否かの判断を行ってもよい。アノテーションが変更された場合は、アノテーションリスト１８０へ変更を反映して、ステップＳ２７の判断に移行する。
【０１０４】
上述した表示処理動作により、視認性と操作性に優れた情報表示が実現する。
【０１０５】
上述したように、解析部３０５の解析により信号源の推定が順次に行われていき、アノテーションリスト１８０の下に配置されたマージボタン１８５の押下を受け付けた場合、マージ表示制御部３０３は、所定方向に複数スライスされた生体断層画像に対して、生体信号の経時的変化を示す生体データの一部に対応する信号源を重畳して表示すると共に、該複数スライスされた生体断層画像のうち、所定の信号源が重畳された生体断層画像を表示領域に初期表示するよう制御する。ここでは、所定の信号源とは、所定の条件に合致する信号源である。この例では所定の条件は信号源数であるが、これに限られるものではない。本実施形態では、所定の信号源とは、複数スライスされた生体断層画像毎の信号源の数の中で最も多い信号源である。具体的な内容は後述するが、マージ表示制御部３０３は、信号源の数が最も多い生体断層画像を、表示領域の中央部付近に初期表示する。そして、マージ表示制御部３０３は、中央部付近の生体断層画像から左右に生体断層画像が層順に並ぶように、他の生体断層画像を配置して表示する。また、マージ表示制御部３０３は、信号源が重畳されない生体断層画像も表示することができるし、信号源が重畳されない生体断層画像は表示しないこともできる。以下、具体的な内容を説明する。
【０１０６】
本実施形態では、マージ表示制御部３０３は、図１７に示すアノテーションリスト１８０の下に配置されたマージボタン１８５の押下を受け付けると、図２６に示すようなマージ画面４００を表示装置５０７に表示する制御を行う。マージ画面４００は、複数の生体断層画像が左右方向に並んで表示される領域４０１Ａと、領域４０１Ａから選択された生体断層画像の断層位置が表示される領域４０１Ｂと、を有する。
【０１０７】
領域４０１Ａは、上面からの断層画像（以下の説明では「スライス画像Ａ」と称する場合がある）を表示する表示領域４１０Ａと、側面方向からの断層画像（以下の説明では「スライス画像Ｂ」と称する場合がある）を表示する表示領域４１０Ｂと、背面方向からの断層画像（以下の説明では「スライス画像Ｃ」と称する場合がある）を表示する表示領域４１０Ｃとで構成されている。以下の説明では、スライス画像Ａ、Ｂ、Ｃを互いに区別しない場合は、単に「スライス画像」と称する場合がある。なお、領域４０１Ａにおける断層画像の上下並び方向は、本実施形態の態様に限られない。
【０１０８】
ここで、図２７を参照して、３次元方向に対応するスライス画像Ａ、スライス画像Ｂ、スライス画像Ｃの関係を説明する。図２７において、スライス画像Ａ〜Ｃは、３次元方向に位置がリンクしている。基準線１９０Ｅは、各スライス画像をまたがるように表示され、各基準線１９０Ｅの交点Ｏは各スライス画像のスライス位置を表示している。この例では、スライス画像Ｃは、水平方向（左右方向）の基準線１９０Ｅでスライス画像Ａを切断した断面を図２７に示すＡ方向から見た断面図である。また、スライス画像Ｂは、上下方向の基準線１９０Ｅでスライス画像Ａを切断した断面を図２７に示すＢ方向から見た断面図である。以下の説明では、スライス画像Ａに対応する視点を「Ａｘｉａｌ  Ｖｉｅｗ」、スライス画像Ｂに対応する視点を「Ｓａｇｉｔｔａｌ  Ｖｉｅｗ」、スライス画像Ｃに対応する視点を「Ｃｏｒｏｎａｌ  Ｖｉｅｗ」と称する。
【０１０９】
つまり、この例では、生体断層画像は、第１方向の断面である第１断層画像（例えば、スライス画像Ａ）と、第１方向と直交する第２方向の断面である第２断層画像（例えば、スライス画像Ｂ）と、第１方向および第２方向と直交する第３方向の断面である第３断層画像（例えば、スライス画像Ｃ）と、を含む。
【０１１０】
図２６に戻って説明を続ける。マージ表示制御部３０３は、重畳される信号源の数を示す情報を、対応する生体断層画像と共に表示する制御を行う。各表示領域４１０Ａ〜４１０Ｃには、スライス画像ごとに、どの位置でスライスした画像であるかを示すスライス番号を示す情報４４０Ａと、該スライス画像に重畳される信号源の数（ダイポールの推定結果の数）を示す情報４４０Ｂとが表示される。
【０１１１】
領域４０１Ｂは、表示領域４１０Ａに対応する表示領域４２０Ａと、表示領域４１０Ｂに対応する表示領域４２０Ｂと、表示領域４１０Ｃに対応する表示領域４２０Ｃとを有する。
【０１１２】
表示領域４２０Ａには、表示領域４１０Ａに表示されるスライス画像Ａが、側面（表示領域４２０Ａの左側の画像）および背面（表示領域４２０Ａの右側の画像）のそれぞれから見た断層画像においてどの位置でスライスした画像であるかが表示され、この断層位置を示す断層位置ライン４５０が重畳して表示される。側面から見たスライス位置Ａと背面から見たスライス位置Ｂの各隣り合う断層位置ライン４５０は、図における上下方向の位置が一致している。また、各断層位置ライン４５０に対応するスライス番号が表示領域４１０Ａに表示されるスライス画像Ａと紐付けられている。例えば、表示領域４２０Ａの下から上に向けてスライス番号が０１〜１５と付与される。
【０１１３】
同様に、表示領域４２０Ｂには、表示領域４１０Ｂに表示されるスライス画像Ｂが、上面（表示領域４２０Ｂの左側の画像）および背面（表示領域４２０Ｂの右側の画像）から見た断層位置においてどの位置でスライスした画像であるかが表示され、この断層位置を示す断層位置ライン４５０が重畳して表示される。上面から見たスライス位置Ｃと背面から見たスライス位置Ｄの断層位置ライン４５０は、図における左右方向の位置が一致している。また、各断層位置ライン４５０に対応するスライス番号が表示領域４１０Ｂに表示されるスライス画像Ｂと紐付けられている。例えば、表示領域４２０Ｂの左から右に向けてスライス番号が０１〜１４と付与される。
【０１１４】
同様に、表示領域４２０Ｃには、表示領域４１０Ｃに表示されるスライス画像Ｃが、上面（表示領域４２０Ｃの左側の画像）および側面（表示領域４２０Ｃの右側の画像）から見た断層位置においてどの位置でスライスした画像であるかが表示され、この断層位置を示す断層位置ライン４５０が重畳して表示される。上面から見たスライス位置Ｅの断層位置ライン４５０の上から下に向けて、側面から見たスライス位置Ｆの断層位置ライン４５０の左から右に向けて、位置が一致している。また、各断層位置ライン４５０に対応するスライス番号が表示領域４１０Ｃに表示されるスライス画像Ｃと紐付けられている。例えば、表示領域４２０Ｃの上から下（左の上面断層画像の場合）または左から右（右側の側面断層画像の場合）に向けてスライス番号が０１〜１５と付与されている。
【０１１５】
つまり、マージ表示制御部３０３は、領域４０１Ａ（表示領域）に表示される生体断層画像の断層位置を示す情報を表示する制御を行う。この例では、マージ表示制御部３０３は、複数の生体断層画像（スライス画像）の中から選択された生体断層画像の断層位置を示す情報を表示する制御を行う。なお、上述の各断層位置ライン４５０と、上述のスライス番号を示す情報４４０Ａとは連携して記憶装置（補助記憶装置５０４等）に格納されている。
【０１１６】
この例では、各表示領域４１０Ａ〜４１０Ｃで表示されるスライス画像は、重畳表示されるダイポールの推定結果の数が最も多いスライス画像が中央に配置されている。そして、中央のスライス画像から左右にスライス番号順に（層順に）並ぶように、他のスライス画像が配置される。例えば、表示領域４１０Ａには、スライス番号１０のスライス画像が中央に配置され、その右側にスライス番号１１、１２、１３（一部のみ）の順で配置されている。さらに、スライス番号１０の左側にはスライス番号９、８、７（一部のみ）の順で配置されている。また、表示領域４１０Ｂには、スライス番号１０のスライス画像が中央に配置され、その右側にスライス番号１１、１２、１３（一部のみ）の順で配置されている。さらに、スライス番号１０の左側にはスライス番号９、８、７（一部のみ）の順で配置されている。そして、表示領域４１０Ｃには、スライス番号７のスライス画像が中央に配置され、その右側にスライス番号８、９、１０（一部のみ）の順で配置されている。さらに、スライス番号７の左側にはスライス番号６、５、４（一部のみ）の順で配置されている。ここで、中央とは、領域４０１Ａ（「表示領域」に対応）の幅方向における中央である。また、解析者が視覚的に見つけやすくするために、例えば図２６のように、ダイポールの推定結果の数が最も多いスライス画像の上にタイトル（Ａｘｉａｌ  Ｖｉｅｗ、Ｓａｇｉｔｔａｌ  Ｖｉｅｗ、Ｃｏｒｏｎａｌ  Ｖｉｅｗ）を表示させてもよい。この場合、解析者がスライス画像の初期表示状態から左右にスクロールして他のスライス画像を表示させたとき、これらタイトルが連動して移動してもよい。連動して移動することで、スクロール後でも、ダイポールの推定結果の数が最も多いスライス画像を見つけやすくできる。一方、どの方向の断層画像であるかに注目するのであれば、スクロールしてもタイトルは固定とすることが好ましい。
【０１１７】
なお、本実施形態においては、表示領域４１０Ａに表示されたスライス画像Ａと、その直下に表示されたスライス画像Ｂと、さらにその直下に表示されたスライス画像Ｃとは３次元方向に対応していない。つまり、表示領域４１０Ａ〜４１０Ｃごとに、該表示領域４１０に表示される複数のスライス画像のうち、重畳表示されるダイポールの推定結果１９０ａの数が最も多いスライス画像が中央に配置され、中央のスライス画像から左右にスライス番号順に並ぶように、他のスライス画像が配置される。このように表示することで、中央から左右へのダイポールの推定結果１９０ａの広がりを視認できる。
【０１１８】
また、各スライス画像にはダイポールの推定結果の数を示す情報４４０Ｂも表示されるので、どのスライス画像にどれだけダイポールの推定結果が重畳されているかを見たいときに、併せて確認することができる。また、領域４０１Ｂの断層位置ライン４５０と、選択した（注目したい）スライス画像のスライス番号を示す情報４４０Ａから、所定範囲（たとえば１ｍｍ以内）にダイポールの推定結果が収まっているかどうかを把握できる。また、領域４０１に全てのスライス画像を表示できない場合は、例えば、マウスでスクロールすることで、スライス画像を左右方向に移動させて新たなスライス画像を表示することもできる。つまり、マージ表示制御部３０３は、スライス画像を送る、および戻すための操作（スクロールするための操作）に応じて、スライス画像を左右方向に移動して、新たなスライス画像を表示する制御を行うことができる。
【０１１９】
また、この例では、表示領域４１０Ａの上には、ダイポールの推定結果が重畳表示されているスライス画像のみを表示するモードを選択するための「Ｏｎｌｙ  Ｄｉｐｏｌｅ」ボタン４３０Ｂと、ダイポールの推定結果が重畳されないスライス画像も含めた全てのスライス画像を表示するモードを選択するための「ＡＬＬ」ボタン４３０Ａと、が配置されている。図２６は、「ＡＬＬ」ボタン４３０Ａが押されたときのマージ画面４００の一例を示す図である。図２８は、「Ｏｎｌｙ  Ｄｉｐｏｌｅ」ボタン４３０Ｂが押された時のマージ画面４００の一例を示す図である。図２８に示すように、ダイポールの推定結果が重畳表示されているスライス画像のみが領域４０１Ａに表示され、ダイポールの推定結果が重畳されないスライス画像に対応する断層位置ライン４５０が領域４０１Ｂにて非表示になる。言い換えると、ダイポールの推定結果が重畳されたスライス画像に対応する断層位置ライン４５０のみが表示される。このように、注目したいスライス画像と、対応する断層位置ライン４５０とを同一画面上で比較することで、各ダイポールの推定結果がどのくらい離れた位置にそれぞれあるかが容易に認識できる。
【０１２０】
解析者は、ダイポールの推定結果が重畳表示されているスライス画像から、どの位置に一番多くダイポールの推定結果が存在するかを検証することができる。そして、出力ボタン４６０を押下すると、ダイポールの推定結果が重畳表示されたスライス画像が出力（そのときのマージ画面４００が出力）され、プリントアウトされる。このように、立体的な信号源（ダイポールの推定結果）の位置を従来に比べてより詳細に特定することができる。
【０１２１】
以上に説明したように、領域４０１Ａに初期表示するスライス画像の条件として、信号源の数が最も多いスライス画像であることを条件とし、該信号源の数が最も多いスライス画像を少なくとも初期表示する。ここでは、上述したように、マージ表示制御部３０３は、信号源の数が最も多いスライス画像を領域４０１Ａの中央部付近に初期表示し、中央部付近のスライス画像から左右にスライス画像が層順に並ぶように、他のスライス画像を配置して表示する。このように表示することで、中央から左右への信号源の広がりを視認できるので、解析者が、症例の原因となる対象箇所を特定する確度を向上させることができる。また、隣り合うスライス画像同士で信号源の有無を確認することができる。
【０１２２】
なお、例えば、まず全てのスライス画像に対して信号源（群）を重畳して信号源が重畳済みのスライス画像を生成し、信号源数が最も多い信号源重畳済みスライス画像を選定してもよい。このような、信号源数が最も多い信号源重畳済みスライス画像を選定する機能は、マージ表示制御部３０３が有していてもよいが、これに限らず、例えば、上述の機能が、マージ表示制御部３０３とは別に設けられる形態であってもよい。つまり、所定の条件に合致する生体断層画像（領域４０１Ａに初期表示する生体断層画像）を選定する機能（選定部）が、マージ表示制御部３０３とは別に設けられる形態であってもよい。なお、上述の機能（選定部）は、ソフトウェア的に実現（例えばＣＰＵ５０１がプログラムを実行することにより実現）されてもよいし、専用のハードウェア回路で実現されてもよい。
【０１２３】
また、例えば、まずすべてのスライス画像ごとに、該スライス画像に存在する信号源（群）を特定し、その結果から、信号源数が最も多いスライス画像を選定し、その後、その選定したスライス画像に信号源を重畳させて表示してもよい。なお、例えば、信号源を重畳させずに、以上のようにして選定したスライス画像（信号源数が最も多いスライス画像）を初期表示しておき、任意のタイミングで、信号源（群）や数を示す情報を重畳表示する形態であってもよい。また、重畳表示に加えて、信号源（群）や数を示す情報を表示領域にスクロール表示してもよい。この場合、信号源が重畳表示されていない状態のスライス画像であっても、潜在的に信号源が紐付けられた状態であると考えることができるため、このスライス画像を表示する場合も、「所定の信号源が重畳された生体断層画像を表示領域に初期表示する」態様の一例であると考えることができる。
【０１２４】
また、以下、図３０〜図３３を参照しながら、マージ画面４００の表示の類型について説明する。まず、図３０に示すように、各表示領域４１０Ａ〜４１０Ｃで表示されるスライス画像は、重畳表示されるダイポールの推定結果の数が最も多いスライス画像が左側に配置されている。そして、左端のスライス画像から左右にスライス番号順に（層順に）並ぶように、他のスライス画像が配置されることは図２６に示す例と同じである。ダイポールの推定結果の数が最も多いスライス画像のスライス番号を図２６と同様にしたとき、図３０に示すようになる。例えば、表示領域４１０Ａには、スライス番号１０のスライス画像が左端に配置され、その右側にスライス番号１１、１２、１３、１４の順で配置されている。また、表示領域４１０Ｂには、スライス番号１０のスライス画像が左端に配置され、その右側にスライス番号１１、１２、１３、１４の順で配置されている。そして、表示領域４１０Ｃには、スライス番号７のスライス画像が左端に配置され、その右側にスライス番号８、９、１０、１１、１２の順で配置されている。
【０１２５】
このように、ダイポールの推定結果の数が最も多いスライス画像を左端に寄せて配置することで、ダイポールの推定結果の数が最も多いスライス画像を見つけやすくなる。
【０１２６】
また、例えば、領域４０１Ａに初期表示するスライス画像の条件として、スライス画像に重畳される信号源の数が多い順に所定方向に沿ってスライス画像（生体断層画像）を並べて表示することもできる。つまり、マージ表示制御部３０３は、信号源の数が最も多いスライス画像（所定の信号源が重畳された生体断層画像）を基準として、信号源の数が多い順に所定方向に沿って他の生体断層画像を並べて表示することもできる。例えば、図３０に示すように、マージ表示制御部３０３は、重畳される信号源の数が最も多いスライス画像を左端とし、左から右へ向けて（所定方向の一例）、重畳される信号源の数が少なくなるようにスライス画像を並べて表示する形態であってもよい。スライス画像上の信号源の数（ダイポールの推定結果の数）を確認するだけであれば、領域４０１Ａの左から右に向けて一方向に視線を移動するだけでよいので、図２６等に比べて視認性がよいという利点もある。また、図２６と同様に、信号源の数が最も多いスライス画像を中央に配置し、左右には信号源の数が徐々に少なくなるように並べて配置してもよい。
【０１２７】
また、マージ表示制御部３０３は、１方向のみのスライス画像を表示し、他の２方向のスライス画像は非表示にするものとしてもよい。例えば、領域４０１Ａにスライス画像を１列で表示すれば、１方向におけるスライス画像の視認性が向上する。また、スライス画像が多数ある場合は、図３１に示すように複数行にわたって１方向の断層画像を表示すれば、スクロールの回数を減らすことができ、より全体を把握でき、視認性が向上する。図３１は、信号源の数が最も多いスライス画像を中央に配置し、左右には信号源の数が徐々に少なくなるように並べたものであり、初期表示後にスクロールした状態を示している。なお、図３１の例では、１方向のみのスライス画像が表示される表示領域４１０の上に、スライス画像Ａに対応する方向（「Ａｘｉａｌ  Ｖｉｅｗ」の方向）を選択するためのボタン４７０Ａと、スライス画像Ｂに対応する方向（「Ｓａｇｉｔｔａｌ  Ｖｉｅｗ」の方向）を選択するためのボタン４７０Ｂと、スライス画像Ｃに対応する方向（「Ｃｏｒｏｎａｌ  Ｖｉｅｗ」の方向）を選択するためのボタン４７０Ｃとが配置される。マージ表示制御部３０３は、ボタン４７０Ａの押下を受け付けた場合はスライス画像Ａ群のみを表示し、ボタン４７０Ｂの押下を受け付けた場合はスライス画像Ｂ群のみを表示し、ボタン４７０Ｃの押下を受け付けた場合はスライス画像Ｃ群のみを表示する。
【０１２８】
また、図２６に示す例では、表示領域４１０Ａに表示されたスライス画像Ａと、その直下に表示されたスライス画像Ｂと、さらにその直下に表示されたスライス画像Ｃとは３次元方向に対応していないが、表示領域４１０Ａに表示されたスライス画像Ａと、その直下に表示されたスライス画像Ｂと、さらにその直下に表示されたスライス画像Ｃとが３次元方向に対応する形態であってもよい。この場合、表示領域４１０Ａ〜４１０Ｃの何れかを基準とし、基準となる表示領域４１０に表示された複数のスライス画像のうち、重畳される信号源の数が最も多いスライス画像を中央に配置して表示し、中央のスライス画像から左右にスライス画像が層順（スライス番号順）に並ぶように、他のスライス画像を配置して表示した上で、他の表示領域４１０のスライス画像を対応させて表示することができる。例えば、表示領域４１０Ａを基準とした場合、表示領域４１０Ａに表示されるスライス画像のうち、重畳される信号源の数が最も多いスライス画像を中央に配置して表示し、中央のスライス画像から左右にスライス画像が層順に並ぶように、他のスライス画像を配置して表示する。そして、他の表示領域４１０Ｂおよび表示領域４１０Ｃの各々に表示される複数のスライス画像の各々を、表示領域４１０Ａに表示された各スライス画像に対応させて表示するという具合である。このように、３次元的に対応する３つのスライス画像を上下方向に揃えて表示することで、立体的にダイポールの推定結果（信号源）の位置を把握できる。また、基準となる表示領域４１０に表示された複数のスライス画像のうちダイポールの推定結果の数が最も多いスライス画像を、図３０のように左端に寄せて配置してもよい。
【０１２９】
また、複数のスライス画像にそれぞれ重畳されている各信号源を、所定のスライス画像に集約して重畳して領域４０１Ａに表示するものとしてもよい。例えば、複数のスライス画像についてスライス番号順に１０枚ずつ１つの群を構成し、群ごとに、当該群に含まれる各スライス画像に対応する信号源の数の合計を演算する。次に、各群の信号源の数の合計を比較し、図３２に示すように、その合計の数が最も多い群に含まれるスライス画像（のいずれか）を領域４０１Ａの中央に表示する。そして、中央のスライス画像から左右にスライス番号順に（層順に）並ぶように、他の群に含まれるスライス画像を配置して表示する。
【０１３０】
ここで、領域４０１Ａに表示する各スライス画像は、群に含まれる各スライス画像のいずれかである。例えば、群に含まれる連続したスライス番号のスライス画像のうち、真中のスライス番号のスライス画像でもよく、スライス番号の一番小さい、または、一番大きいスライス画像であってもよい。そして、表示する画像として特定されたスライス画像に、当該スライス画像を含む群に含まれるスライス画像の全ての信号源を重畳する。また、表示するスライス画像のスライス番号が決まったら、その左右に表示するスライス画像のスライス番号は、群を構成するスライス画像の枚数だけシフトしたスライス番号とすればよい。例えば、１０枚のスライス画像で１つの群を構成する場合、左右に表示させるスライス画像のスライス番号は、中央に表示されたスライス画像のスライス番号に１０だけ加算したスライス番号、または減算したスライス番号とすればよい。
【０１３１】
また、図３２に示すように、スライス番号を示す情報４４０Ａには、群を構成するスライス画像のスライス番号の範囲が表示される。また、信号源の数を示す情報４４０Ｂには、表示しているスライス画像を含む群に含まれる各スライス画像に対応する信号源の数の合計値が表示されている。なお、図３２では、領域４０１Ａの中央、および、その左右に１ずつのスライス画像のみを表示する例を示しているが、左右方向に複数のスライス画像が表示されていてもよい。これによって、領域４０１Ａに表示されるスライス画像の総数が減るため、上述した例に比べて閲覧性が向上する。
【０１３２】
また、上述した例では、スライス画像に重畳される信号源の数を、領域４０１Ａに初期表示するスライス画像の条件として用いたが、これに限られない。例えば、信号源のベクトル方向または強度等、解析の目的にあった条件を適用することが可能である。一例として、推定した信号源の妥当性もしくは信憑性、または信号源の近似の妥当性もしくは信憑性などを示す数値を用い、当該数値が最も高い信号源が重畳されたスライス画像を領域４０１Ａの中央に表示することができる。妥当性または信憑性など（以下、単に信憑性と総称する）を示す数値は、一例として、ＧＯＦ（Ｇｏｏｄ  Ｏｆ  Ｆｉｔｎｅｓｓ）を用いて算定することができる。そして、算定した信憑性を示す数値が所定の閾値を越えた信号源が重畳されているスライス画像を領域４０１Ａに表示する。そして、信憑性を示す数値が最も大きい（信憑性が最も高い）信号源が重畳されたスライス画像を領域４０１Ａに表示し、その左右にはスライス番号順に（層順に）並ぶように、他のスライス画像を配置して表示する。
【０１３３】
ここで、図３３は、図３２に示す表示形態を適用した図を示している。図３３では、情報４４０Ｂに示す数が信号源の数ではなく信憑性を示す数値である点が図３２と異なる。また、図３３に示す信憑性を示す数値は、１つの群に含まれるスライス画像に重畳する各信号源の信憑性の平均値であってもよく、または、１つの群に含まれるスライス画像に重畳する各信号源のうち、最も信憑性を示す数値が高い信号源の当該数値であってもよい。これによって、信憑性の高い信号源を特定することで、症例の原因となる対象箇所を特定する確度がより向上する。また、情報４４０Ｂに示す数を、図３２に示すように信号源の数とし、信号源の表現（色、形、大きさなど）をＧＯＦの値に応じた表現とすることにより区別してもよい。
【０１３４】
なお、図２６〜図３３では、領域４０１Ａに初期表示するスライス画像は、図１９に示すレイアウトテーブル１００１を参照しない制御であったが、これに限られない。すなわち、以下で説明するように、図３４に示すレイアウトテーブル１００１ａを参照し、領域４０１Ａに初期表示するスライス画像のレイアウトを制御してもよい。図３４に示すレイアウトテーブル１００１ａは、図１９に示すレイアウトテーブル１００１の別形態のテーブルであり、レイアウトテーブル１００１に、解析画面のマージボタン１８５が押下されたときに表示されるマージ画面４００のレイアウト内容の項目が追加されたものである。
【０１３５】
以上のようなレイアウトテーブル１００１ａを用いて、解析画面およびマージ画面のレイアウト変更を行う動作について、図３５を参照しながら説明する。図３５は、解析画面およびマージ画面のレイアウト変更の動作を示すフローチャートである。
【０１３６】
まず、情報処理装置５０は、患者のどのような診察結果の場合、どのような解析画面およびおマージ画面４００のレイアウトとするかについて関連付けるためのレイアウトテーブル１００１ａを有している。例えば、解析画面の利用者（医師等）は、図３に示す入力部３１１から診察結果（診断結果）の操作入力を行うと、設定部３０４は、その操作入力に従って、診察結果（問診結果を含む）と、解析画面の表示のレイアウト内容と、解析画面のマージボタン１８５が押下されたときに表示されるマージ画面４００の表示のレイアウト内容とを関連付けるレイアウトテーブル１００１ａ（レイアウト情報の一例）を設定して、記憶部３１０に記憶させる（ステップＳ５１）。例えば、入力部３１１に対して、測定収録画面のメニューからレイアウトテーブル１００１ａの診察結果のような選択肢からの選択操作、もしくは診察結果の入力操作を行う形態、または、測定収録画面とは別の入力画面から当該選択操作もしくは当該入力操作を行う形態とすることが可能である。なお、レイアウトテーブル１００１ａは、テーブル形式の情報としているが、これに限定されるものではなく、テーブルの各フィールドの値が互いに関連付けて管理することができれば、どのような形式の情報であってもよい。
【０１３７】
また、医師は、図６に示す測定収録画面を用いた測定収録の前に患者に対して診察を行った際に、その診察結果（問診結果を含む）の情報を、サーバ４０の記憶部３５３に記憶されている当該患者の患者情報に反映する。この患者情報の反映（更新）は、情報処理装置５０に対する入力操作によって行われてもよく、サーバ４０に対して直接、入力することによって行われるものとしてもよい。
【０１３８】
そして、特定の患者に対する測定収録（ステップＳ５２）を実施した後、解析画面の利用者（医師等）は、その特定の患者の測定データ（脳磁信号および脳波信号等）を解析するために、情報処理装置５０において解析画面を選択して開いた際（ステップＳ５３）、レイアウト用情報取得部３０８は、当該患者の測定データに関連付けられた患者情報（診察結果を含む）を、サーバ４０から通信部３０６を介して取得する。レイアウト決定部３０９は、記憶部３１０に記憶されたレイアウトテーブル１００１ａを参照して、レイアウト用情報取得部３０８により取得された患者情報の診察結果に対応するレイアウト内容を取得し、当該レイアウト内容を解析画面およびマージ画面４００のレイアウトとして決定する。解析表示制御部３０２は、レイアウト決定部３０９により決定された解析画面のレイアウト内容に従って、図１２に示すベースのレイアウトとなる解析画面から、レイアウト変更を行って初期レイアウトを構成して表示する（ステップＳ５４）。なお、レイアウトが変更されて初期表示された解析画面は、その後、利用者の操作入力によって手動でレイアウト変更することも当然可能である。
【０１３９】
その後、適宜、信号源の推定をした後、図１７に示すマージボタン１８５の押下を受け付けた場合（ステップＳ５５：Ｙｅｓ）、解析表示制御部３０２は、レイアウト決定部３０９により決定されたマージ画面４００のレイアウト内容に従って、ベースのレイアウトとなるマージ画面４００から、レイアウト変更を行って初期レイアウトを構成して表示する（ステップＳ５６）。
【０１４０】
このように、レイアウトテーブル１００１ａにより、診察時に患部が特定または推定されている場合、解析画面だけでなく、マージボタン１８５が押下されたときに表示されるマージ画面４００も特定の患部に注力したレイアウトに変更することができる。
【０１４１】
次に、図３５のステップＳ５６で表示されるマージ画面４００のレイアウト例について、図３６〜図３９を用いて説明する。図３６〜図３９の例では、レイアウトテーブル１００１ａで、左脳に患部有りとして入力または選択された場合を想定している。
【０１４２】
図３６では、図２６に示すベースのレイアウトのマージ画面４００から、レイアウトを変更したマージ画面４００の一例を示す。表示領域４２０Ｂにおけるスライス位置Ｃ、Ｄとしては、レイアウトテーブル１００１ａで入力または選択された左脳に対応する断層位置ライン４５０のみが表示される。また、表示領域４１０Ｂには、表示領域４２０Ｂに対応するスライス画像のみが表示される。一方、スライス位置Ａ、Ｂ、Ｅ、Ｆについては、図２６と同様である。このように、レイアウトテーブル１００１ａで特定していない右脳のスライス画像を非表示とすることで、必要なスライス画像のみを表示させることができるので、必要な情報を見やすく表示でき解析作業を容易にすることができる。
【０１４３】
図３７に示すマージ画面４００の例は、図３６に示すマージ画面４００からさらに、スライスＡ、Ｂ、Ｅ、Ｆに対応する表示領域４１０Ａ、Ｃのスライス画像の右半分を非表示にしている。これにより、表示領域４１０Ａ〜４１０Ｃのそれぞれの方向において、すべて左脳のみの画像を表示し、右脳の画像を非表示とすることになり、表示領域４１０Ａ〜４１０Ｃの対応関係の視認性がより向上する。
【０１４４】
図３８に示すマージ画面４００の例は、図３７に示すマージ画面４００からさらに，表示領域４１０Ａ、Ｃの隣り合うスライス画像の間隔を詰めて表示している。これにより、表示領域４１０Ａ、Ｃは、表示領域４１０Ｂよりも左右方向に、より多くのスライス画像を表示させることができるので、一覧性が向上する。なお、表示領域４１０Ａ、Ｃには信号源が重畳されたスライス画像のみが表示されているが、信号源が重畳されていないスライス画像も含めて表示させてもよい。
【０１４５】
なお、上述の図３６〜図３８に示したマージ画面４００の例では、表示領域４２０Ａ〜４２０Ｃの各断層位置ライン４５０に対応するスライス画像を、表示領域４１０Ａ〜４１０Ｃに表示させていたが、これに限られない。例えば、表示領域４１０Ｂに表示領域４２０Ｂに対応するスライスのみを表示し、表示領域４２０Ａ、４２０Ｃ、表示領域４１０Ａ、４１０Ｃ、およびスライス位置Ａ、Ｂ、Ｅ、Ｆを非表示としてもよい。表示対象を左半分に限定したことにより、同じ領域に多くのスライスを表示可能となる。これによりスライス幅を細かく表示することができ、高解像度での解析を行うことができる。
【０１４６】
図３９に示すマージ画面４００は、ベースのレイアウトとなる図２６に示すマージ画面４００から、レイアウトを変更した別形態の例である。スライス位置Ｃ、Ｄのうち左脳に対応する位置のスライス画像は、スライスした画像１枚ずつ表示領域４１０Ｂに表示される。一方、スライス位置Ｃ、Ｄのうち右脳に対応する位置のスライス画像は、スライス番号順に複数枚数（例えば３枚）ずつ１つの群を構成し、群ごとに、当該群に含まれる各スライス画像に対応する信号源の数の合計を演算し、代表スライス画像上に信号源を重畳表示させる。また、スライス位置Ａ、Ｂ、Ｅ、Ｆについては、図２６と同様である。このように、レイアウトテーブル１００１ａで特定した左脳のスライス画像をスライスごとに表示させ、特定していない右脳のスライス画像を間引いて表示させることで、必要な情報を見やすく表示でき解析作業を容易にすることができる。
【０１４７】
以上のように、本実施形態に係る情報処理装置５０では、予め行われた患者への診察（問診を含む）による結果の情報（患者情報）を取得し、その結果に対応して、解析画面のレイアウトを変更し、初期レイアウトとして表示するものとしている。これによって、診察結果（特定の状況の一例）に応じて、表示する情報のレイアウトを適切に変更することができるので、手動でレイアウト変更する手間を省くことができ、患者の所見から不要な情報は非表示とし、必要な情報を見やすく表示できるため、解析作業を容易にすることができる。
【０１４８】
［第２の実施形態］
第２の実施形態に係る生体信号計測システム１について、第１の実施形態に係る生体信号計測システム１と相違する点を中心に説明する。第１の実施形態では、予め行われた患者への診察（問診を含む）による結果に応じて、解析画面のレイアウトを変更し、初期レイアウトとして表示する動作について説明した。本実施形態では、信号源の推定の状況に応じて、解析画面のレイアウトを変更する動作について説明する。なお、本実施形態に係る生体信号計測システム１の全体構成、情報処理装置５０およびサーバ４０のハードウェア構成および機能ブロックの構成は、第１の実施形態で説明した構成と同様である。
【０１４９】
（情報処理装置の機能ブロックの動作）
上述の図３を参照しながら、本実施形態に係る情報処理装置５０の機能ブロックの構成および動作について説明する。
【０１５０】
設定部３０４は、入力部３１１により受け付けられた操作入力に従って、信号源の推定状況と、解析画面の表示のレイアウト内容とを関連付けるレイアウトテーブルを設定して、記憶部３１０に記憶させる。
【０１５１】
レイアウト用情報取得部３０８は、解析画面のレイアウトを決定付ける特定の状況を示す情報（決定情報の一例）を取得する。具体的には、本実施形態では、レイアウト用情報取得部３０８は、特定の状況を示す情報として、推定ボタン２１２（図１６参照）の押下によりどれだけの信号源の推定が行われたかを示す情報（信号源の推定状況を示す情報、解析結果に関する情報の一例）を取得する。
【０１５２】
レイアウト決定部３０９は、レイアウト用情報取得部３０８により取得された信号源の推定状況を示す情報が、記憶部３１０に記憶された信号源の推定状況と解析画面のレイアウト内容とを関連付けるレイアウトテーブルで規定されている「信号源の推定状況」に一致するか否かを判定する。そして、レイアウト決定部３０９は、レイアウトテーブルで規定されている「信号源の推定状況」に一致するレイアウト用情報取得部３０８により取得された信号源の推定状況を示す情報に対応するレイアウト内容を、当該レイアウトテーブルから取得して、当該レイアウト内容を解析画面のレイアウトとして決定する。
【０１５３】
なお、収録表示制御部３０１、解析表示制御部３０２、マージ表示制御部３０３、解析部３０５、通信部３０６、センサ情報取得部３０７、記憶部３１０、および入力部３１１の動作は、第１の実施形態と同様である。
【０１５４】
（解析画面の表示内容のレイアウトを変更する動作）
図４０は、第２の実施形態における解析画面でＭＲＩ画像を拡大した例を示す図である。図４１は、第２実施形態における解析時の情報処理装置の動作を示すフローチャートである。図４２は、第２の実施形態のレイアウトテーブルの一例を示す図である。図４０お〜図４２を参照しながら、本実施形態に係る情報処理装置５０での解析画面の表示内容のレイアウトを変更する動作について説明する。
【０１５５】
上述したように、脳磁計や脳波計で計測した情報、または関連する情報を表示する際に、例えば、信号源の推定（ダイポールの推定）の状況によって、解析画面に表示する情報をどのような態様で表示することが好ましいかが定まる場合がある。例えば、推定された信号源の数が所定数以上となった場合、解析表示制御部３０２は、図４０に示すように、現状の解析画面のレイアウトから、推定された信号源（ダイポールの推定結果１９０ａ）を表示ウィンドウ１９０に重畳表示させた上で、当該表示ウィンドウ１９０を拡大表示させる。この際、解析表示制御部３０２は、推定された信号源を、表示ウィンドウ１９０にすべて表示させることが望ましく、これによって、拡大表示された表示ウィンドウ１９０上で、推定された信号源の位置を確認することができるので、患部の位置の確認の精度を向上させることができる。また、解析表示制御部３０２は、所定数の推定された信号源が得られた場合、新たな信号源の推定は必要がないと判断し、図４０に示すように、表示ウィンドウ１９０の拡大表示の結果、拡大表示領域２００が非表示となるようにしてもよい。
【０１５６】
上述のような、信号源の推定（ダイポールの推定）の状況に基づいて、解析画面の表示内容のレイアウトを変更（例えば、上述のように、表示ウィンドウ１９０の拡大表示）する動作の詳細を説明する。まず、解析画面の利用者は、どのような信号源の推定（ダイポールの推定）の状況の場合、どのような解析画面のレイアウトとするかについて関連付けるためのレイアウトテーブルを設定しておく。例えば、図４２に示すように、解析画面の利用者（医師等）は、入力部３１１に対する操作入力を行い、設定部３０４は、その操作入力に従って、信号源の推定状況と、解析画面の表示のレイアウト内容とを関連付けるレイアウトテーブル１００２（レイアウト情報の一例）を設定して、記憶部３１０に記憶させる。図４２に示すレイアウトテーブル１００２の例では、例えば、「信号源１０個以上推定完了」という信号源推定状況に対して、「ＭＲＩの断層画像を拡大」（表示ウィンドウ１９０の拡大）というレイアウト内容が関連付けられている。なお、レイアウトテーブル１００２は、テーブル形式の情報としているが、これに限定されるものではなく、テーブルの各フィールドの値が互いに関連付けて管理することができれば、どのような形式の情報であってもよい。
【０１５７】
レイアウト用情報取得部３０８は、特定の状況を示す情報として、推定ボタン２１２（図１６参照）の押下によりどれだけの信号源の推定が行われたかを示す情報（信号源の推定状況を示す情報）を取得する。レイアウト決定部３０９は、レイアウト用情報取得部３０８により取得された信号源の推定状況を示す情報が、記憶部３１０に記憶されたレイアウトテーブル１００２で規定されている「信号源の推定状況」に一致するか否かを判定する。そして、レイアウト決定部３０９は、レイアウトテーブル１００２で規定されている「信号源の推定状況」に一致するレイアウト用情報取得部３０８により取得された信号源の推定状況を示す情報に対応するレイアウト内容を、レイアウトテーブル１００２から取得して、当該レイアウト内容を解析画面のレイアウトとして決定する。解析表示制御部３０２は、レイアウト決定部３０９により決定された解析画面のレイアウト内容に従って、現状の解析画面からレイアウトを変更する。
【０１５８】
以上のような動作の流れを、図４１を用いて説明する。なお、レイアウトテーブル１００１の設定動作と同様に、図４２に示すレイアウトテーブル１００２についても、上述した動作で設定しておく。開始画面２０４（図５参照）で「解析」が選択されると（ステップＳ６１）、解析が開始され、解析画面が表示される（ステップＳ６２）。この場合、解析画面のレイアウト変更については、上述した図２０または図２５の動作と同様に行われる。
【０１５９】
解析画面が表示されると、特定のアノテーションが選択されたか否かが判断される（ステップＳ６３）。アノテーションの選択は、アノテーションリスト１８０内での特定のアノテーション番号または行の選択であってもよいし、表示領域１２０の時間軸１２２上のタイムゾーン１２０ｂを操作することによる時刻位置の指定であってもよい。アノテーションの選択があると（ステップＳ６３：Ｙｅｓ）、選択されたアノテーションの時刻位置を含む所定時間分の信号波形が表示される（ステップＳ６４）。
【０１６０】
表示された場面で、ハイライト表示されたマークの時間位置を示すライン１１７が選択されたか否かが判断される（ステップＳ６５）。ライン１１７が選択されると（ステップＳ６５：Ｙｅｓ）、選択されたラインを含む一定の時間範囲の信号波形が拡大表示される（ステップＳ６６）。拡大表示領域２００に表示される波形のチャネルは、ステップＳ２２４で決定したセンサに対応する。ここで、拡大表示領域２００における拡大表示は、必ずしもハイライト表示されたマークの近傍の信号波形に限定されず、同じ時間位置の異なる種類の信号波形を拡大表示してもよい。例えば、脳波信号波形にハイライト表示されたマークが付されている場合に、同じ時間位置の脳磁信号波形を拡大表示させてもよい。また、すべてのチャネルの信号波形を拡大表示する代わりに、マークされた信号波形が取得されたチャネルを含む一定範囲のチャネルで取得された信号波形を拡大表示させてもよい。この場合、拡大表示させたい信号波形の種類、またはチャネル範囲の指定入力の有無を判断してもよい。
【０１６１】
次に、信号源の推定ボタン２１２が押下されたか否かが判断される（ステップＳ６７）。信号源の推定ボタン２１２が押下されると（ステップＳ６７：Ｙｅｓ）、信号源推定の演算が行われる。推定結果がＭＲＩ断層画面に表示されると共に、推定完了マーク１８２がアノテーションリスト１８０に追加される（ステップＳ６８）。
【０１６２】
次に、レイアウト用情報取得部３０８は、特定の状況を示す情報として、推定ボタン２１２（図１６参照）の押下によりどれだけの信号源の推定が行われたかを示す情報（信号源の推定状況を示す情報）を取得する。レイアウト決定部３０９は、レイアウト用情報取得部３０８により取得された信号源の推定状況を示す情報が、記憶部３１０に記憶されたレイアウトテーブル１００２で規定されている「信号源の推定状況」に一致するか否かを判定する（ステップＳ６９）。レイアウト用情報取得部３０８により取得された信号源の推定状況を示す情報に含まれる信号源の数が、所定数ｔ（例えば図４２に示す１０個）以上である場合（ステップＳ６９：Ｙｅｓ）、解析表示制御部３０２は、図４０に示すように、現状の解析画面のレイアウトから、推定された信号源を表示ウィンドウ１９０に重畳表示させた上で、当該表示ウィンドウ１９０を拡大表示させる（ステップＳ７０）。
【０１６３】
一方、レイアウト用情報取得部３０８により取得された信号源の推定状況を示す情報に含まれる信号源の数が、所定数ｔ未満である場合（ステップＳ６９：Ｎｏ）、または、拡大表示された表示ウィンドウ１９０が閉じられた場合（ステップＳ７１：Ｙｅｓ）、解析表示制御部３０２は、例えば図１５に示すように、解析画面において表示ウィンドウ１９０を通常のサイズで表示させる（ステップＳ７２）。
【０１６４】
そして、アノテーションリスト１８０の下に配置されたマージボタン１８５（図１７参照）の押下を受け付けた場合（ステップＳ７３：Ｙｅｓ）、情報処理装置５０のマージ表示制御部３０３はマージ画面４００を表示し、マージ画面４００に関する処理を行う（ステップＳ７４）。マージボタン１８５の押下を受け付けなかった場合（ステップＳ７３：Ｎｏ）、または、ステップＳ７４の後は、解析終了コマンドが入力されたか否かが判断される（ステップＳ７５）。アノテーションの選択がない場合（ステップＳ６３：Ｎｏ）、拡大表示のためのアノテーションラインの選択がない場合（ステップＳ６５：Ｎｏ）、および、信号源の推定ボタン２１２押下の入力がない場合（ステップＳ６７：Ｎｏ）は、ステップＳ７５へ移行して解析終了の判断を行う。解析終了コマンドが入力されるまで（ステップＳ７５：Ｙｅｓ）、ステップＳ６３〜Ｓ７４が繰り返される。
【０１６５】
なお、例えば、解析画面のレイアウト変更として、表示ウィンドウ１９０を拡大表示させた場合、図４０に示す解析画面において、表示領域１０１〜１０３に表示される波形をクリック操作等した場合、元のレイアウトに戻す、すなわち、表示ウィンドウ１９０を通常の大きさに戻し、拡大表示領域２００を再表示させるものとしてもよい。
【０１６６】
このように、信号源の推定の状況に応じて、解析画面のレイアウトを変更するものとしている。これによって、信号源の推定の状況（特定の状況の一例）に応じて、表示する情報のレイアウトを適切に変更することができるので、手動でレイアウト変更する手間を省くことができ、信号源の推定の状況に応じて、必要な情報を見やすく表示できるため、患部の状態の確認作業を容易にすることができる。
【０１６７】
なお、上述のように、推定ボタン２１２の押下により信号源の推定がアノテーションに反映された場合、そのアノテーションの情報は、サーバ４０等に記憶されるが、解析画面を開いた際、確認対象となる患者の測定データに関連付けられているアノテーション情報に含まれる信号源の推定の状況（個数等）に基づいて、解析画面の初期レイアウトを変更するものとしてもよい。具体的には、レイアウト用情報取得部３０８が、確認対象となる患者の測定データに関連付けられているアノテーション情報に含まれる信号源の推定の状況（個数等）をサーバ４０から取得する。そして、レイアウト決定部３０９が、レイアウトテーブル１００２で規定されている「信号源の推定状況」に一致するレイアウト用情報取得部３０８により取得された信号源の推定状況を示す情報に対応するレイアウト内容を、レイアウトテーブル１００２から取得して、当該レイアウト内容を解析画面の初期レイアウトとして決定するものとすればよい。以上の動作を、図４３を用いて、以下で説明する。
【０１６８】
開始画面２０４（図５参照）で「解析」が選択されると（ステップＳ８１）、解析が開始され、解析画面が表示される（ステップＳ８２）。この場合、解析画面のレイアウト変更については、上述した図２０または図２５の動作と同様に行われる。解析画面の利用者（医師等）は、、当該解析画面において、サーバ４０に記憶された特定の患者の測定データを選択する（ステップＳ８３）。これによって、レイアウト用情報取得部３０８は、当該測定データからどれだけの信号源の推定が行われたかを示す情報（信号源の推定状況を示す情報）を取得する。レイアウト決定部３０９は、レイアウト用情報取得部３０８により取得された信号源の推定状況を示す情報が、記憶部３１０に記憶されたレイアウトテーブル１００２で規定されている「信号源の推定状況」に一致するか否かを判定する（ステップＳ８４）。レイアウト用情報取得部３０８により取得された信号源の推定状況を示す情報に含まれる信号源の数が、所定数ｔ（例えば図４２に示す１０個）以上である場合（ステップＳ８４：Ｙｅｓ）、解析表示制御部３０２は、図４０に示すように、現状の解析画面のレイアウトから、推定された信号源を表示ウィンドウ１９０に重畳表示させた上で、当該表示ウィンドウ１９０を拡大表示させる（ステップＳ８５）。
【０１６９】
一方、レイアウト用情報取得部３０８により取得された信号源の推定状況を示す情報に含まれる信号源の数が、所定数ｔ未満である場合（ステップＳ８４：Ｎｏ）、または、拡大表示された表示ウィンドウ１９０が閉じられた場合（ステップＳ８６：Ｙｅｓ）、解析表示制御部３０２は、例えば図１５に示すように、解析画面において表示ウィンドウ１９０を通常のサイズで表示させる（ステップＳ８７）。
【０１７０】
そして、アノテーションリスト１８０の下に配置されたマージボタン１８５（図１７参照）の押下を受け付けた場合（ステップＳ８８：Ｙｅｓ）、情報処理装置５０のマージ表示制御部３０３はマージ画面４００を表示し、マージ画面４００に関する処理を行う（ステップＳ８９）。マージボタン１８５の押下を受け付けなかった場合（ステップＳ８８：Ｎｏ）、または、ステップＳ８９の後は、解析終了コマンドが入力されたか否かが判断される（ステップＳ９０）。
【０１７１】
解析終了のコマンドが入力されていない場合（ステップＳ９０：Ｎｏ）、特定のアノテーションが選択されたか否かが判断される（ステップＳ９１）。アノテーションの選択は、アノテーションリスト１８０内での特定のアノテーション番号または行の選択であってもよいし、表示領域１２０の時間軸１２２上のタイムゾーン１２０ｂを操作することによる時刻位置の指定であってもよい。アノテーションの選択があると（ステップＳ９１：Ｙｅｓ）、選択されたアノテーションの時刻位置を含む所定時間分の信号波形が表示される（ステップＳ９２）。
【０１７２】
表示された場面で、ハイライト表示されたマークの時間位置を示すライン１１７が選択されたか否かが判断される（ステップＳ９３）。ライン１１７が選択されると（ステップＳ９３：Ｙｅｓ）、選択されたラインを含む一定の時間範囲の信号波形が拡大表示される（ステップＳ９４）。拡大表示領域２００に表示される波形のチャネルは、ステップＳ２２４で決定したセンサに対応する。ここで、拡大表示領域２００における拡大表示は、必ずしもハイライト表示されたマークの近傍の信号波形に限定されず、同じ時間位置の異なる種類の信号波形を拡大表示してもよい。例えば、脳波信号波形にハイライト表示されたマークが付されている場合に、同じ時間位置の脳磁信号波形を拡大表示させてもよい。また、すべてのチャネルの信号波形を拡大表示する代わりに、マークされた信号波形が取得されたチャネルを含む一定範囲のチャネルで取得された信号波形を拡大表示させてもよい。この場合、拡大表示させたい信号波形の種類、またはチャネル範囲の指定入力の有無を判断してもよい。
【０１７３】
次に、信号源の推定ボタン２１２が押下されたか否かが判断される（ステップＳ９５）。信号源の推定ボタン２１２が押下されると（ステップＳ９５：Ｙｅｓ）、信号源推定の演算が行われる。推定結果がＭＲＩ断層画面に表示されると共に、推定完了マーク１８２がアノテーションリスト１８０に追加される（ステップＳ９６）。また、これと共に信号源の推定が反映されたアノテーションの情報が、患者の測定データに含められ、サーバ４０等に記憶（更新）される。そして、ステップＳ８４へ戻る。
【０１７４】
また、上述のレイアウト変更の内容は一例を示すものであり、これらに限定されるものではない。例えば、信号源の推定の状況として、信号源が１つも推定されていない場合は、例えば図４４に示すように、表示ウィンドウ１９０を非表示にし、表示ウィンドウ１９０の表示エリアがなくなった分だけ、表示領域１０１〜１０３の少なくともいずれかを時間軸方向に拡大表示するものとしてもよい。また、これに代えて、信号源が０から所定数ｔ未満の場合に、表示ウィンドウ１９０を非表示にするものとしてもよい。図４４は、図１２および図１４に示す解析画面と比べて表示ウィンドウ１９０、等磁場図１５０およびマップエリア１６０が非表示である点で相違する。そして、表示ウィンドウ１９０、等磁場図１５０およびマップエリア１６０が表示されていた領域にも表示領域１０１〜１０３の波形が表示される。このように、表示領域１０１〜１０３が左右方向に拡大して表示されることによって、アノテーションＡ７、Ａ８に加えて、ライン１１７−９およびマーク１０３ａ−９を含むアノテーションＡ９、ならびに、ライン１１７−１０およびマーク１０３ａ−１０を含むアノテーションＡ１０が表示されている。また、時間軸１１２に沿ってアノテーション１１０ａ−７、１１０ａ−８に加え、アノテーション１１０ａ−９、１１０ａ−１０が表示されている。また、図４４において、ウィンドウオープンボタン１４５が押下されると、表示ウィンドウ１９０、等磁場図１５０およびマップエリア１６０が再表示され、ウィンドウクローズボタン１４６が押下されると、表示ウィンドウ１９０、等磁場図１５０およびマップエリア１６０が、再び非表示となる。図４４の表示領域１０１〜１０３に示す波形は、図１２に比べてさらに時間軸方向に大きく表示できるので、より長い波形を一度に視認できる。上述の表示ウィンドウ１９０を非表示とする動作を、図４５を用いて、以下で説明する。
【０１７５】
開始画面２０４（図５参照）で「解析」が選択されると（ステップＳ１０１）、解析が開始され、解析画面が表示される（ステップＳ１０２）。この場合、解析画面のレイアウト変更については、上述した図２０または図２５の動作と同様に行われる。解析画面の利用者（医師等）は、、当該解析画面において、サーバ４０に記憶された特定の患者の測定データを選択する（ステップＳ１０３）。これによって、レイアウト用情報取得部３０８は、当該測定データからどれだけの信号源の推定が行われたかを示す情報（信号源の推定状況を示す情報）を取得する。レイアウト決定部３０９は、レイアウト用情報取得部３０８により取得された信号源の推定状況を示す情報が、記憶部３１０に記憶されたレイアウトテーブル１００２で規定されている「信号源の推定状況」に一致するか否かを判定する（ステップＳ１０４）。レイアウト用情報取得部３０８により取得された信号源の推定状況を示す情報に含まれる信号源の数が、所定数ｔ（例えば図４２に示す１０個）以上である場合（ステップＳ１０４：Ｙｅｓ）、解析表示制御部３０２は、図４０に示すように、現状の解析画面のレイアウトから、推定された信号源を表示ウィンドウ１９０に重畳表示させた上で、当該表示ウィンドウ１９０を拡大表示させる（ステップＳ１０５）。
【０１７６】
一方、レイアウト用情報取得部３０８により取得された信号源の推定状況を示す情報に含まれる信号源の数が、所定数ｔ未満である場合（ステップＳ１０４：Ｎｏ）、さらに、レイアウト決定部３０９は、レイアウト用情報取得部３０８により取得された信号源の推定状況を示す情報に含まれる信号源の数が０であるか否かを判定する（ステップＳ１１１）。信号源の数が０である場合（ステップＳ１１１：Ｙｅｓ）、解析表示制御部３０２は、図４４に示すように、現状の解析画面のレイアウトから、表示ウィンドウ１９０を非表示にする（ステップＳ１１２）。
【０１７７】
または、ステップＳ１０６において、拡大表示された表示ウィンドウ１９０が閉じられた場合（ステップＳ１０６：Ｙｅｓ）、または、ステップＳ１１１において、信号源の数が０でない場合（ステップＳ１１１：Ｎｏ）、解析表示制御部３０２は、例えば図１５に示すように、解析画面において表示ウィンドウ１９０を通常のサイズで表示させる（ステップＳ１０７）。
【０１７８】
そして、アノテーションリスト１８０の下に配置されたマージボタン１８５（図１７参照）の押下を受け付けた場合（ステップＳ１０８：Ｙｅｓ）、情報処理装置５０のマージ表示制御部３０３はマージ画面４００を表示し、マージ画面４００に関する処理を行う（ステップＳ１０９）。マージボタン１８５の押下を受け付けなかった場合（ステップＳ１０８：Ｎｏ）、または、ステップＳ１０９の後は、解析終了コマンドが入力されたか否かが判断される（ステップＳ１１０）。
【０１７９】
解析終了のコマンドが入力されていない場合（ステップＳ１１０：Ｎｏ）、または、表示ウィンドウ１９０が非表示となった場合（ステップＳ１１２）、特定のアノテーションが選択されたか否かが判断される（ステップＳ１１３）。アノテーションの選択は、アノテーションリスト１８０内での特定のアノテーション番号または行の選択であってもよいし、表示領域１２０の時間軸１２２上のタイムゾーン１２０ｂを操作することによる時刻位置の指定であってもよい。アノテーションの選択があると（ステップＳ１１３：Ｙｅｓ）、選択されたアノテーションの時刻位置を含む所定時間分の信号波形が表示される（ステップＳ１１４）。
【０１８０】
表示された場面で、ハイライト表示されたマークの時間位置を示すライン１１７が選択されたか否かが判断される（ステップＳ１１５）。ライン１１７が選択されると（ステップＳ１１５：Ｙｅｓ）、選択されたラインを含む一定の時間範囲の信号波形が拡大表示される（ステップＳ１１６）。拡大表示領域２００に表示される波形のチャネルは、ステップＳ２２４で決定したセンサに対応する。ここで、拡大表示領域２００における拡大表示は、必ずしもハイライト表示されたマークの近傍の信号波形に限定されず、同じ時間位置の異なる種類の信号波形を拡大表示してもよい。例えば、脳波信号波形にハイライト表示されたマークが付されている場合に、同じ時間位置の脳磁信号波形を拡大表示させてもよい。また、すべてのチャネルの信号波形を拡大表示する代わりに、マークされた信号波形が取得されたチャネルを含む一定範囲のチャネルで取得された信号波形を拡大表示させてもよい。この場合、拡大表示させたい信号波形の種類、またはチャネル範囲の指定入力の有無を判断してもよい。
【０１８１】
次に、信号源の推定ボタン２１２が押下されたか否かが判断される（ステップＳ１１７）。信号源の推定ボタン２１２が押下されると（ステップＳ１１７：Ｙｅｓ）、信号源推定の演算が行われる。推定結果がＭＲＩ断層画面に表示されると共に、推定完了マーク１８２がアノテーションリスト１８０に追加される（ステップＳ１１８）。また、これと共に信号源の推定が反映されたアノテーションの情報が、患者の測定データに含められ、サーバ４０等に記憶（更新）される。そして、ステップＳ１０４へ戻る。
【０１８２】
以上の図４４および図４５で説明したように、信号源の推定が行われていない場合は、脳磁信号および脳波信号の波形を測定時間について長時間にわたって見ることができるので、波形上での患部の特定等の解析作業が容易となる。
【０１８３】
［第３の実施形態］
第３の実施形態に係る生体信号計測システム１について、第１の実施形態に係る生体信号計測システム１と相違する点を中心に説明する。第１の実施形態では、予め行われた患者への診察（問診を含む）による結果に応じて、解析画面のレイアウトを変更し、初期レイアウトとして表示する動作について説明した。本実施形態では、脳磁信号のチャネル選択、または脳波信号のモンタージュパターン選択に応じて、解析画面のレイアウトを変更する動作について説明する。なお、本実施形態に係る生体信号計測システム１の全体構成、情報処理装置５０およびサーバ４０のハードウェア構成および機能ブロックの構成は、第１の実施形態で説明した構成と同様である。
【０１８４】
（情報処理装置の機能ブロックの動作）
上述の図３を参照しながら、本実施形態に係る情報処理装置５０の機能ブロックの構成および動作について説明する。
【０１８５】
設定部３０４は、入力部３１１により受け付けられた操作入力に従って、脳磁信号のチャネル選択または脳波信号のモンタージュパターン選択の状況と、解析画面の表示のレイアウト内容とを関連付けるレイアウトテーブルを設定して、記憶部３１０に記憶させる。
【０１８６】
レイアウト用情報取得部３０８は、解析画面のレイアウトを決定付ける特定の状況を示す情報（決定情報の一例）を取得する。具体的には、本実施形態では、レイアウト用情報取得部３０８は、特定の状況を示す情報として、脳磁信号のチャネル選択または脳波信号のモンタージュパターン選択の状況を示す情報を取得する。ここで、脳磁信号のチャネル選択または脳波信号のモンタージュパターン選択の状況を示す情報は、生体信号（脳磁信号、脳波信号等）のいずれを解析画面に表示させるかの選択状況を示す情報と言える。また、脳磁信号のチャネル選択は、例えば、図１４に示す分布図１４１、１４２上での各チャネルの選択、または、分布図１４１、１４２の近傍に位置するコンボボックスから、予め登録されている複数のチャネルで構成されたチャネルグループを選択することによって行われる。また、脳波信号のモンタージュパターン選択は、例えば、図１４に示す分布図１３０の近傍に位置するコンボボックスから、予め登録されているモンタージュパターンを選択することによって行われる。
【０１８７】
レイアウト決定部３０９は、レイアウト用情報取得部３０８により取得された脳磁信号のチャネル選択または脳波信号のモンタージュパターン選択の状況を示す情報が、記憶部３１０に記憶された選択の状況と解析画面のレイアウト内容とを関連付けるレイアウトテーブルで規定されている「チャネル等選択状況」に一致するか否かを判定する。そして、レイアウト決定部３０９は、レイアウトテーブルで規定されている「チャネル等選択状況」に一致するレイアウト用情報取得部３０８により取得された脳磁信号のチャネル選択または脳波信号のモンタージュパターン選択の状況を示す情報に対応するレイアウト内容を、当該レイアウトテーブルから取得して、当該レイアウト内容を解析画面のレイアウトとして決定する。
【０１８８】
なお、収録表示制御部３０１、解析表示制御部３０２、マージ表示制御部３０３、解析部３０５、通信部３０６、センサ情報取得部３０７、記憶部３１０、および入力部３１１の動作は、第１の実施形態と同様である。
【０１８９】
（解析画面の表示内容のレイアウトを変更する動作）
図４６は、第３の実施形態における解析画面で脳波信号波形を拡大した例を示す図である。図４７は、第３の実施形態のレイアウトテーブルの一例を示す図である。図４８は、解析画面のレイアウト変更の動作を示すフローチャートである。図４６〜図４８を参照しながら、本実施形態に係る情報処理装置５０での解析画面の表示内容のレイアウトを変更する動作について説明する。
【０１９０】
上述したように、脳磁計や脳波計で計測した情報、または関連する情報を表示する際に、例えば、脳磁信号のチャネル選択または脳波信号のモンタージュパターン選択の状況によって、解析画面に表示する情報をどのような態様で表示することが好ましいかが定まる場合がある。例えば、脳波のモンタージュパターンについて異なるモンタージュパターンが選択された場合、解析表示制御部３０２は、図４６に示すように、脳波信号を表示した表示領域１０３を拡大表示させる。これによって、モンタージュパターンを選択後に、それに最適または好適なレイアウトを設定する手間を省くことができる。この際、解析表示制御部３０２は、図４６に示すように、患者の脳磁信号を表示した表示領域１０１、１０２を縮小表示させるものとしてもよい。また、表示領域１０１、１０２を縮小表示させる際には、縮小画像１４１ａ、１４２ａで選択されているチャネルに対応する信号の間隔を縮めてすべての信号を表示するものとしてもよく、または、選択されているチャネルから間引きしたチャネルのみの信号を表示するものとしてもよい。なお、診察の結果から脳磁信号より優先して脳波信号を確認したい場合、解析表示制御部３０２は、脳磁信号を表示する表示領域１０１、１０２を非表示とするものとしてもよい。
【０１９１】
上述のような、脳磁信号のチャネル選択または脳波信号のモンタージュパターン選択の状況に基づいて、解析画面の表示内容のレイアウトを変更（例えば、上述のように、表示領域１０３の拡大表示、表示領域１０１、１０２の縮小表示）する動作の詳細を図４７および図４８を用いて説明する。まず、情報処理装置５０は、どのような脳磁信号のチャネル選択または脳波信号のモンタージュパターン選択の状況の場合、どのような解析画面のレイアウトとするかについて関連付けるためのレイアウトテーブルを有している。例えば、図４７に示すように、解析画面の利用者（医師等）は、入力部３１１からチャネル選択またはモンタージュパターン選択の操作入力を行うと、設定部３０４は、その操作入力に従って、脳磁信号のチャネル選択または脳波信号のモンタージュパターン選択の状況と、解析画面の表示のレイアウト内容とを関連付けるレイアウトテーブル１００３（レイアウト情報の一例）を設定して、記憶部３１０に記憶させる（ステップＳ１２１）。図４７に示すレイアウトテーブル１００３の例では、例えば、「チャネルグループ（Ｌ）を選択」というチャネル等選択状況に対して、「チャネルグループ（Ｌ）に対応したモンタージュパターンの波形表示」というレイアウト内容が関連付けられている。なお、レイアウトテーブル１００３は、テーブル形式の情報としているが、これに限定されるものではなく、テーブルの各フィールドの値が互いに関連付けて管理することができれば、どのような形式の情報であってもよい。
【０１９２】
次に、医師は、図６に示す測定収録画面を用いて、特定の患者に対する測定収録を実施する（ステップＳ１２２）。そして、特定の患者に対する測定収録を実施した後、解析画面の利用者（医師等）は、その特定の患者の測定データ（脳磁信号および脳波信号等）を解析するために、情報処理装置５０において解析画面を選択して開いた際（ステップＳ１２３）、レイアウト用情報取得部３０８は、特定の状況を示す情報として、脳磁信号のチャネル選択または脳波信号のモンタージュパターン選択の状況を示す情報を取得する。レイアウト決定部３０９は、レイアウト用情報取得部３０８により取得された脳磁信号のチャネル選択または脳波信号のモンタージュパターン選択の状況を示す情報が、記憶部３１０に記憶されたレイアウトテーブル１００３で規定されている「チャネル等選択状況」に一致するか否かを判定する。そして、レイアウト決定部３０９は、レイアウトテーブル１００３で規定されている「チャネル等選択状況」に一致するレイアウト用情報取得部３０８により取得された脳磁信号のチャネル選択または脳波信号のモンタージュパターン選択の状況を示す情報に対応するレイアウト内容を、レイアウトテーブル１００３から取得して、当該レイアウト内容を解析画面のレイアウトとして決定する。解析表示制御部３０２は、レイアウト決定部３０９により決定された解析画面のレイアウト内容に従って、現状の解析画面からレイアウトを変更して表示する（ステップＳ１２４）。
【０１９３】
このように、脳磁信号のチャネル選択または脳波信号のモンタージュパターン選択の状況に応じて、解析画面のレイアウトを変更するものとしている。これによって、脳磁信号のチャネル選択または脳波信号のモンタージュパターン選択の状況（特定の状況の一例）に応じて、表示する情報のレイアウトを適切に変更することができるので、手動でレイアウト変更する手間を省くことができ、選択状況に応じて、必要な情報を見やすく表示できるため、患部の状態の確認作業を容易にすることができる。
【０１９４】
なお、上述のレイアウト変更の内容は一例を示すものであり、これらに限定されるものではない。例えば、分布図１４１で選択されているチャネル数、および、分布図１４２で選択されているチャネル数の比に応じて、表示領域１０１および表示領域１０２の比率を変更するものとしてもよい。これによって、分布図１４１、１４２で選択したチャネルに対応する脳磁信号の波形を、すべて同じ状態で確認することができるようになり、波形上での患部の特定等の解析作業が容易となる。
【０１９５】
［第４の実施形態］
第４の実施形態に係る生体信号計測システム１について、第１の実施形態に係る生体信号計測システム１と相違する点を中心に説明する。第１の実施形態では、予め行われた患者への診察（問診を含む）による結果に応じて、解析画面のレイアウトを変更し、初期レイアウトとして表示する動作について説明した。本実施形態では、利用者の専門領域等を示すロール情報に応じて、解析画面のレイアウトを変更し、初期レイアウトとして表示する動作について説明する。なお、本実施形態に係る生体信号計測システム１の全体構成、情報処理装置５０およびサーバ４０のハードウェア構成および機能ブロックの構成は、第１の実施形態で説明した構成と同様である。
【０１９６】
（情報処理装置の機能ブロックの動作）
上述の図３を参照しながら、本実施形態に係る情報処理装置５０の機能ブロックの構成および動作について説明する。
【０１９７】
レイアウト用情報取得部３０８は、解析画面のレイアウトを決定付ける特定の状況を示す情報（決定情報の一例）を取得する。具体的には、本実施形態では、レイアウト用情報取得部３０８は、解析画面の利用者（医師等）の専門領域等を示すロール情報を、サーバ４０から通信部３０６を介して取得する。なお、レイアウト用情報取得部３０８によるロール情報の取得の方法として、例えば、以下の方法がある。解析画面の利用者は、情報処理装置５０または当該解析画面を制御するアプリケーションにログインする場合、ユーザ情報（ログインＩＤ、パスワード等を含む）が参照される。ユーザ情報は、例えば、サーバ４０内で管理されているものとすればよい。このユーザ情報では、ユーザと、ログインＩＤ・パスワードとが関連付けられているだけでなく、当該ユーザと、ロール情報とについても関連付けがされているものとする。この場合、レイアウト用情報取得部３０８は、情報処理装置５０または当該解析画面を制御するアプリケーションにログインしている利用者のユーザ情報からロール情報を取得することができる。
【０１９８】
レイアウト決定部３０９は、後述する記憶部３１０に記憶された、利用者の専門領域等を示すロール情報と、解析画面のレイアウト内容とを関連付けるレイアウトテーブルを参照して、レイアウト用情報取得部３０８により取得された特定の状況を示す情報としてのロール情報に対応するレイアウト内容を取得して、当該レイアウト内容を解析画面のレイアウトとして決定する。
【０１９９】
なお、収録表示制御部３０１、解析表示制御部３０２、マージ表示制御部３０３、解析部３０５、通信部３０６、センサ情報取得部３０７、記憶部３１０、および入力部３１１の動作は、第１の実施形態と同様である。
【０２００】
（解析画面の表示内容のレイアウトを変更する動作）
図４９は、第４の実施形態のレイアウトテーブルの一例を示す図である。図５０は、解析画面のレイアウト変更の動作を示すフローチャートである。図４９および図５０を参照しながら、本実施形態に係る情報処理装置５０での解析画面の表示内容のレイアウトを変更する動作について説明する。
【０２０１】
上述したように、脳磁計や脳波計で計測した情報、または関連する情報を表示する際に、例えば、利用者の専門領域等を示すロール情報によって、解析画面に表示する情報をどのような態様で表示することが適切であるかが概ね定まっている場合がある。例えば、解析画面の利用者が脳外科医である場合、解析表示制御部３０２は、上述の図４０に示すように、ＭＲＩの断層画像を示す表示ウィンドウ１９０を拡大表示させる。この際、解析表示制御部３０２は、推定された信号源がある場合、表示ウィンドウ１９０に示す断層画像に重畳して表示させるものとしてもよい。また、解析表示制御部３０２は、上述の図４０に示すように、表示ウィンドウ１９０の拡大表示の結果、拡大表示領域２００が非表示となるようにしてもよい。
【０２０２】
上述のような、利用者の専門領域等を示すロール情報に基づいて、解析画面の表示内容のレイアウトを変更（例えば、上述のように、表示ウィンドウ１９０の拡大表示）する動作の詳細を説明する。まず、解析画面の利用者は、どのようなロール情報の場合、どのような解析画面のレイアウトとするかについて関連付けるためのレイアウトテーブルを設定しておく。例えば、図４９に示すように、解析画面の利用者（医師等）は、入力部３１１に対する操作入力を行い、設定部３０４は、その操作入力に従って、ロール情報と、解析画面の表示のレイアウト内容とを関連付けるレイアウトテーブル１００４（レイアウト情報の一例）を設定して、記憶部３１０に記憶させる。図４９に示すレイアウトテーブル１００４の例では、例えば、「てんかん科医」というロール情報に対して、「波形を拡大、ＭＲＩの断層画像を非表示」というレイアウト内容が関連付けられている。なお、レイアウトテーブル１００４は、テーブル形式の情報としているが、これに限定されるものではなく、テーブルの各フィールドの値が互いに関連付けて管理することができれば、どのような形式の情報であってもよい。
【０２０３】
そして、解析画面の利用者（医師等）は、特定の患者の測定データを解析するために、情報処理装置５０において解析画面を開いた際、レイアウト用情報取得部３０８は、当該利用者の専門領域等を示すロール情報を、サーバ４０から通信部３０６を介して取得する。レイアウト決定部３０９は、記憶部３１０に記憶されたレイアウトテーブル１００４を参照して、レイアウト用情報取得部３０８により取得されたロール情報に対応するレイアウト内容を取得し、当該レイアウト内容を解析画面のレイアウトとして決定する。解析表示制御部３０２は、レイアウト決定部３０９により決定された解析画面のレイアウト内容に従って、図１２等に示すベースのレイアウトとなる解析画面から、レイアウト変更を行って初期レイアウトを構成して表示する。
【０２０４】
このように、利用者の専門領域等を示すロール情報に応じて、解析画面のレイアウトを変更するものとしている。これによって、利用者の専門領域等を示すロール情報（特定の状況の一例）に応じて、表示する情報のレイアウトを適切に変更することができるので、利用者が毎回自分に合ったレイアウトを手動で変更する手間を省くことができ、ロール情報に応じて、必要な情報を見やすく表示できるため、患部の状態の確認作業を容易にすることができる。
【０２０５】
以上の動作を、図５０を用いて説明する。図５０に示す動作は、図４９に示す利用者の専門領域に対応する解析画面を選択するともに、診察結果を解析画面に反映させた例である。解析画面の利用者（医師等）は、図３に示す入力部３１１から診察結果（診断結果）の操作入力を行う（ステップＳ１４１）と、設定部３０４は、その操作入力に従って、診察結果（問診結果を含む）と、解析画面の表示のレイアウト内容とを関連付けるレイアウトテーブル１００１（図１９参照）を設定して、記憶部３１０に記憶させる。また、医師は、図６に示す測定収録の前に患者に対して診察を行った際に、その診察結果（問診結果を含む）の情報を、サーバ４０の記憶部３５３に記憶されている当該患者の患者情報に反映する。
【０２０６】
そして、特定の患者の測定収録の実施（ステップＳ１４２）を行った後、解析画面の利用者（医師等）は、特定の患者の測定データ（脳磁信号および脳波信号等）を解析するために、情報処理装置５０において解析画面を選択して開いた際（ステップＳ１４３）、レイアウト用情報取得部３０８は、当該利用者の専門領域等を示すロール情報を、サーバ４０から通信部３０６を介して取得する。また、レイアウト用情報取得部３０８は、当該患者の測定データに関連付けられた患者情報（診察結果を含む）を、サーバ４０から通信部３０６を介して取得する。レイアウト決定部３０９は、レイアウト用情報取得部３０８により取得されたロール情報に対応するレイアウト内容を取得し（ステップＳ１４４）、レイアウト用情報取得部３０８により取得された患者情報の診察結果に対応するレイアウト内容を取得して、これらを組み合わせて解析画面のレイアウトとして決定する（ステップＳ１４５）。
【０２０７】
なお、レイアウトが変更されて初期表示された解析画面は、その後、利用者の操作入力によって手動でレイアウト変更することも当然可能である。また、上述のレイアウト変更の内容は一例を示すものであり、これらに限定されるものではない。
【０２０８】
また、上述の各実施形態において、生体信号計測システム１の各機能部の少なくともいずれかがプログラムの実行によって実現される場合、そのプログラムは、ＲＯＭ等に予め組み込まれて提供される。また、上述の各実施形態において、生体信号計測システム１で実行されるプログラムは、インストール可能な形式または実行可能な形式のファイルでＣＤ−ＲＯＭ（Ｃｏｍｐａｃｔ  Ｄｉｓｃ  Ｒｅａｄ  Ｏｎｌｙ  Ｍｅｍｏｒｙ）、フレキシブルディスク（ＦＤ）、ＣＤ−Ｒ（Ｃｏｍｐａｃｔ  Ｄｉｓｋ−Ｒｅｃｏｒｄａｂｌｅ）、またはＤＶＤ（Ｄｉｇｉｔａｌ  Ｖｅｒｓａｔｉｌｅ  Ｄｉｓｃ）等のコンピュータで読み取り可能な記録媒体に記録して提供するように構成してもよい。また、上述の各実施形態において、生体信号計測システム１で実行されるプログラムを、インターネット等のネットワークに接続されたコンピュータ上に格納し、ネットワーク経由でダウンロードさせることにより提供するように構成してもよい。また、上述の各実施形態において、生体信号計測システム１で実行されるプログラムを、インターネット等のネットワーク経由で提供または配布するように構成してもよい。また、上述の各実施形態において、生体信号計測システム１で実行されるプログラムは、上述した各機能部のうち少なくともいずれかを含むモジュール構成となっており、実際のハードウェアとしてはＣＰＵ５０１が上述の記憶装置（例えば、ＲＯＭ５０３、または補助記憶装置５０４等）からプログラムを読み出して実行することにより、上述の各機能部が主記憶装置（例えば、ＲＡＭ５０２）上にロードされて生成されるようになっている。
【符号の説明】
【０２０９】
１  生体信号計測システム
３  測定装置
４  測定テーブル
３１  デュワ
３２  窪み
４０  サーバ
５０  情報処理装置
１０１〜１０３  表示領域
１０３ａ−１、１０３ａ−２  マーク
１０３ａ−７、１０３ａ−８、１０３ａ−９、１０３ａ−１０  マーク
１０４  チャネル軸
１０６−１、１０６−２  属性アイコン
１０６−７、１０６−８  属性アイコン
１１０  表示領域
１１０ａ−１、１１０ａ−２  アノテーション
１１０ａ−７、１１０ａ−８、１１０ａ−９、１１０ａ−１０  アノテーション
１１１  タブ
１１２  時間軸
１１３  ライン
１１４  領域
１１５  ポップアップウィンドウ
１１５ａ  選択ボタン
１１５ｂ  入力ボックス
１１７−７、１１７−８、１１７−９、１１７−１０  ライン
１１８  カウンタボックスラ
１１９  終了ボタン
１２０  表示領域
１２０ａ  ポインタマーク
１２０ｂ  タイムゾーン
１２２  時間軸
１２５  ボックス
１３０  分布図
１３０ａ  縮小画像
１４１  分布図
１４１ａ  縮小画像
１４２  分布図
１４２ａ  縮小画像
１４５  ウィンドウオープンボタン
１４６  ウィンドウクローズボタン
１５０  等磁場図
１６０  マップエリア
１７０  モニタウィンドウ
１８０  アノテーションリスト
１８０ａ  選択ボックス
１８１  アノテーション番号
１８２  推定完了マーク
１８５  マージボタン
１９０  表示ウィンドウ
１９０ａ  推定結果
１９０Ｅ  基準線
２００  拡大表示領域
２０１Ａ、２０１Ｂ  領域
２０２Ａ、２０２Ｂ  領域
２０３Ａ、２０３Ｂ  領域
２０４  開始画面
２１０  確認ウィンドウ
２１１  属性ボタン
２１２  推定ボタン
２１７−７  ライン
３０１  収録表示制御部
３０２  解析表示制御部
３０３  マージ表示制御部
３０４  設定部
３０５  解析部
３０６  通信部
３０７  センサ情報取得部
３０８  レイアウト用情報取得部
３０９  レイアウト決定部
３１０  記憶部
３１１  入力部
３５１  情報管理部
３５２  通信部
３５３  記憶部
４００  マージ画面
４０１Ａ、４０１Ｂ  領域
４１０  表示領域
４１０Ａ〜４１０Ｃ  表示領域
４２０Ａ〜４２０Ｃ  表示領域
４３０Ａ  「ＡＬＬ」ボタン
４３０Ｂ  「Ｏｎｌｙ  Ｄｉｐｏｌｅ」ボタン
４４０Ａ、４４０Ｂ  情報
４５０  断層位置ライン
４６０  出力ボタン
４７０Ａ〜４７０Ｃ  ボタン
５０１  ＣＰＵ
５０２  ＲＡＭ
５０３  ＲＯＭ
５０４  補助記憶装置
５０５  ネットワークＩ／Ｆ
５０６  入力装置
５０７  表示装置
５０８  バス
１００１〜１００４  レイアウトテーブル
１００１ａ  レイアウトテーブル
Ａ１、Ａ２  アノテーション
Ａ７、Ａ８、Ａ９、Ａ１０  アノテーション
【先行技術文献】
【特許文献】
【０２１０】
【特許文献１】特開２００７−１９３３９９号公報
【図１】
2019155074.tif 000003
【図２】
2019155074.tif 000004
【図３】
2019155074.tif 000005
【図４】
2019155074.tif 000006
【図５】
2019155074.tif 000007
【図６】
2019155074.tif 000008
【図７】
2019155074.tif 000009
【図８】
2019155074.tif 000010
【図９】
2019155074.tif 000011
【図１０】
2019155074.tif 000012
【図１１】
2019155074.tif 000013
【図１２】
2019155074.tif 000014
【図１３】
2019155074.tif 000015
【図１４】
2019155074.tif 000016
【図１５】
2019155074.tif 000017
【図１６】
2019155074.tif 000018
【図１７】
2019155074.tif 000019
【図１８】
2019155074.tif 000020
【図１９】
2019155074.tif 000021
【図２０】
2019155074.tif 000022
【図２１】
2019155074.tif 000023
【図２２】
2019155074.tif 000024
【図２３】
2019155074.tif 000025
【図２４】
2019155074.tif 000026
【図２５】
2019155074.tif 000027
【図２６】
2019155074.tif 000028
【図２７】
2019155074.tif 000029
【図２８】
2019155074.tif 000030
【図２９】
2019155074.tif 000031
【図３０】
2019155074.tif 000032
【図３１】
2019155074.tif 000033
【図３２】
2019155074.tif 000034
【図３３】
2019155074.tif 000035
【図３４】
2019155074.tif 000036
【図３５】
2019155074.tif 000037
【図３６】
2019155074.tif 000038
【図３７】
2019155074.tif 000039
【図３８】
2019155074.tif 000040
【図３９】
2019155074.tif 000041
【図４０】
2019155074.tif 000042
【図４１】
2019155074.tif 000043
【図４２】
2019155074.tif 000044
【図４３】
2019155074.tif 000045
【図４４】
2019155074.tif 000046
【図４５】
2019155074.tif 000047
【図４６】
2019155074.tif 000048
【図４７】
2019155074.tif 000049
【図４８】
2019155074.tif 000050
【図４９】
2019155074.tif 000051
【図５０】
2019155074.tif 000052